(57)【要約】  本願はアップリンク信号の伝送パラメータを確定する方法、端末及びネットワーク装置を開示し、該方法は、端末は第１サウンディング参照信号（ＳＲＳ）リソースセットを確定するステップと、端末はネットワーク装置から送信される第１指示情報であって、非周期的ＳＲＳを伝送するように端末に指示するための第１指示情報を受信するステップと、端末は第１指示情報及び第１ＳＲＳリソースセットに基づき、ターゲットＳＲＳリソースセットを確定するステップと、端末はターゲットＳＲＳリソースセット中のＳＲＳリソース上でネットワーク装置に非周期的ＳＲＳを送信するステップと、端末はネットワーク装置から送信される第２指示情報であって、ターゲットＳＲＳリソースセット中のターゲットＳＲＳリソースを指示するための第２指示情報を受信するステップと、端末はターゲットＳＲＳリソースに基づき、伝送待ちのアップリンク信号を伝送するための伝送パラメータを確定するステップと、を含む。本願の実施例では、端末はターゲットＳＲＳリソースに基づき、伝送待ちのアップリンク信号を伝送するための伝送パラメータを確定することにより、従来技術ではＳＲＳリソースがＳＲＳを伝送してチャネル状態を推定するためだけに使用されることを回避し、ＳＲＳリソースを合理的に使用できる。
2020520585.tif 000002
【特許請求の範囲】
【請求項１】
アップリンク信号の伝送パラメータを確定する方法であって、
端末は、第１サウンディング参照信号（ＳＲＳ）リソースセットを確定するステップと、
前記端末が、ネットワーク装置から送信される第１指示情報であって、非周期的ＳＲＳを伝送するように前記端末に指示するための第１指示情報を受信するステップと、
前記端末が、前記第１指示情報及び前記第１ＳＲＳリソースセットに基づき、ターゲットＳＲＳリソースセットを確定するステップと、
前記端末は、前記ターゲットＳＲＳリソースセット中のＳＲＳリソース上で前記ネットワーク装置に前記非周期的ＳＲＳを送信するステップと、
前記端末が、前記ネットワーク装置から送信される第２指示情報であって、前記ターゲットＳＲＳリソースセット中のターゲットＳＲＳリソースを指示するための第２指示情報を受信するステップと、
前記端末は、前記ターゲットＳＲＳリソースに基づき、伝送待ちのアップリンク信号を伝送するための伝送パラメータを確定するステップと、を含むことを特徴とする方法。
【請求項２】
前記第１指示情報は前記ターゲットＳＲＳリソースセットを指示するために用いられ、
前記端末が前記第１指示情報及び前記第１ＳＲＳリソースセットに基づき、ターゲットＳＲＳリソースセットを確定することは、
前記端末が、前記第１指示情報に基づき、前記第１ＳＲＳリソースセットから、前記第１ＳＲＳリソースセットのサブセットである前記ターゲットＳＲＳリソースセットを確定するステップを含むことを特徴とする請求項１に記載の方法。
【請求項３】
前記第１指示情報は、前記第１ＳＲＳリソースセット中の第１ＳＲＳリソースを指示するために用いられ、
前記端末が前記第１指示情報及び前記第１ＳＲＳリソースセットに基づき、ターゲットＳＲＳリソースセットを確定することは、
前記端末が、前記第１指示情報に基づき、前記第１ＳＲＳリソースセットから前記第１ＳＲＳリソースを確定するステップと、
前記端末が、前記第１ＳＲＳリソース及び前記第１ＳＲＳリソースセット中の各ＳＲＳリソースと第２ＳＲＳリソースセットとの対応関係に基づき、前記第１ＳＲＳリソースに対応する第２ＳＲＳリソースセットを前記ターゲットリソースセットとして確定するステップと、を含むことを特徴とする請求項１に記載の方法。
【請求項４】
前記第１ＳＲＳリソースセット中の異なるＳＲＳリソースは、異なる第２ＳＲＳリソースセットに対応することを特徴とする請求項３に記載の方法。
【請求項５】
前記第１指示情報は、前記第１ＳＲＳリソースセット中の第２ＳＲＳリソースを指示するために用いられ、
前記端末が、前記第１指示情報及び前記第１ＳＲＳリソースセットに基づき、ターゲットＳＲＳリソースセットを確定することは、
前記端末が、前記第１指示情報及び前記第１ＳＲＳリソースセットに基づき、前記第１ＳＲＳリソースセット中の前記第２ＳＲＳリソースのインデックスを確定するステップと、
前記端末が、前記第１ＳＲＳリソースセット中の前記第２ＳＲＳリソースのインデックス、及び第１ＳＲＳリソースセット中のＳＲＳリソースのインデックスとインデックスセットとの対応関係に基づき、前記第２ＳＲＳリソースに対応するインデックスセットを確定するステップと、
前記端末が、前記第２ＳＲＳリソースに対応するインデックスセット中のインデックスに指示されるＳＲＳリソースによって、前記ターゲットＳＲＳリソースセットを形成することを確定するステップと、を含むことを特徴とする請求項１に記載の方法。
【請求項６】
前記第１ＳＲＳリソースセット中の異なるＳＲＳリソース上でＳＲＳ信号を伝送するために使用されるビームは異なることを特徴とする請求項１−５のいずれか一項に記載の方法。
【請求項７】
前記ターゲットＳＲＳリソースセット中の異なるＳＲＳリソース上でＳＲＳ信号を伝送するために使用されるビームは異なることを特徴とする請求項１−６のいずれか一項に記載の方法。
【請求項８】
前記伝送パラメータはビームフォーミング重みであり、
前記端末が、前記ターゲットＳＲＳリソースに基づき、伝送待ちのアップリンク信号を伝送するための伝送パラメータを確定することは、
前記端末が、前記ターゲットＳＲＳリソース上でＳＲＳ信号を伝送するために使用されるビームフォーミング重みを、前記伝送待ちのアップリンク信号を伝送するために使用されるビームフォーミング重みとするステップを含むことを特徴とする請求項１−７のいずれか一項に記載の方法。
【請求項９】
前記伝送パラメータはプリコーディング行列であり、
前記端末が、前記ターゲットＳＲＳリソースに基づき、伝送待ちのアップリンク信号を伝送するための伝送パラメータを確定することは、
前記端末が、前記ネットワーク装置から送信される第１プリコーディングマトリックスインジケーター（ＰＭＩ）情報を受信するステップと、
前記端末が、前記ターゲットＳＲＳリソースのアンテナポート数、及び第１ＰＭＩ情報に基づき、アンテナポート数、ＰＭＩ情報及びプリコーディング行列の間のマッピング関係によって、前記伝送待ちのアップリンクデータのプリコーディング行列を確定するステップと、を含むことを特徴とする請求項１−８のいずれか一項に記載の方法。
【請求項１０】
前記端末が第１ＳＲＳリソースセットを確定した後、
前記端末が、前記第１ＳＲＳリソースセット中のＳＲＳリソース上で前記ネットワーク装置にＳＲＳを送信するステップをさらに含むことを特徴とする請求項１−９のいずれか一項に記載の方法。
【請求項１１】
前記端末が前記第１ＳＲＳリソースセット中のＳＲＳリソース上でＳＲＳを伝送することは、
前記端末が、前記第１ＳＲＳリソースセット中のＳＲＳリソース上で、周期的ＳＲＳ又は半永続的ＳＲＳである前記ＳＲＳを伝送するステップを含むことを特徴とする請求項１０に記載の方法。
【請求項１２】
前記端末が前記第１ＳＲＳリソースセット中のＳＲＳリソース上で前記ネットワーク装置にＳＲＳを送信することは、
前記端末が、前記第１ＳＲＳリソースセット中のＳＲＳリソースの一部のアンテナポート上で前記ネットワーク装置に前記ＳＲＳを送信するステップを含むことを特徴とする請求項１０又は１１に記載の方法。
【請求項１３】
前記端末が第１サウンディング参照信号（ＳＲＳ）リソースセットを確定することは、
前記端末が、前記ネットワーク装置から送信される設定情報であって、前記端末に前記第１ＳＲＳリソースセットを設定するための設定情報を受信するステップを含むことを特徴とする請求項１−１２のいずれか一項に記載の方法。
【請求項１４】
前記設定情報は、上位層シグナリング又は媒体アクセス制御ＭＡＣ層シグナリングに搬送されることを特徴とする請求項１３に記載の方法。
【請求項１５】
前記端末が前記ネットワーク装置から送信される第２指示情報を受信することは、
前記端末が、前記ネットワーク装置から送信される、前記伝送待ちのアップリンクデータをスケジューリングするためのダウンリンク制御情報（ＤＣＩ）であって、前記第２指示情報を含むＤＣＩを受信するステップを含むことを特徴とする請求項１−１４のいずれか一項に記載の方法。
【請求項１６】
アップリンク信号の伝送パラメータを確定する方法であって、
ネットワーク装置が、端末から送信されるＳＲＳを第１ＳＲＳリソースセット中のＳＲＳリソース上で受信するステップと、
前記ネットワーク装置が、前記ＳＲＳに基づき、第１指示情報を確定するステップであって、前記第１指示情報が前記ターゲットＳＲＳ伝送リソースを確定することに用いられるステップと、
前記ネットワーク装置が、非周期的ＳＲＳを伝送するように前記端末に指示するための前記第１指示情報を前記端末に送信するステップと、
前記ネットワーク装置が、前記端末から送信される前記非周期的ＳＲＳをターゲットＳＲＳリソースセット中のＳＲＳリソース上で受信するステップと、
前記ネットワーク装置が、前記ターゲットＳＲＳリソースに基づき、前記端末が伝送待ちのアップリンク信号を伝送する伝送パラメータを確定するステップと、
前記ネットワーク装置が、第２指示情報を前記端末に送信するステップであって、前記第２指示情報が、前記ターゲットＳＲＳリソースセット中のターゲットＳＲＳリソースを指示することに用いられ、前記ターゲットＳＲＳリソースが、前記端末が伝送待ちのアップリンク信号を伝送する伝送パラメータを確定することに用いられる、ステップと、を含むことを特徴とする方法。
【請求項１７】
前記第１指示情報は前記ターゲットＳＲＳリソースセットを指示するために用いられ、前記ターゲットＳＲＳリソースセットは前記第１ＳＲＳリソースセットのサブセットであることを特徴とする請求項１６に記載の方法。
【請求項１８】
前記第１指示情報は、前記第１ＳＲＳリソースセット中の第１ＳＲＳリソースを指示するために用いられ、前記第１ＳＲＳリソースセット中のＳＲＳリソースは１つの第２ＳＲＳリソースセットに対応し、前記第１ＳＲＳリソースに対応する第２ＳＲＳリソースセットは前記ターゲットＳＲＳリソースセットであることを特徴とする請求項１６に記載の方法。
【請求項１９】
前記第１指示情報は、前記第１ＳＲＳリソースセット中の第２ＳＲＳリソースを指示するために用いられ、前記第１ＳＲＳリソースセット中の前記第２ＳＲＳリソースのインデックスは１つのインデックスセットに対応し、前記第２ＳＲＳリソースに対応するインデックスセット中のインデックスに指示されるＳＲＳリソースによって前記ターゲットＳＲＳリソースセットを形成することを特徴とする請求項１６に記載の方法。
【請求項２０】
前記第１ＳＲＳリソースセット中の異なるＳＲＳリソース上でＳＲＳ信号を伝送するために使用されるビームは異なることを特徴とする請求項１６−１９のいずれか一項に記載の方法。
【請求項２１】
前記ターゲットＳＲＳリソースセット中の異なるＳＲＳリソース上でＳＲＳ信号を伝送するために使用されるビームは異なることを特徴とする請求項１６−２０のいずれか一項に記載の方法。
【請求項２２】
前記伝送パラメータはビームフォーミング重みであり、前記ターゲットＳＲＳリソース上でＳＲＳ信号を伝送するために使用されるビームフォーミング重みを、前記伝送待ちのアップリンク信号を伝送するために使用されるビームフォーミング重みとすることを特徴とする請求項１６−２１のいずれか一項に記載の方法。
【請求項２３】
前記伝送パラメータはプリコーディング行列であり、
前記ネットワーク装置が、前記端末に第１プリコーディングマトリックスインジケーター（ＰＭＩ）情報を送信するステップであって、前記第１プリコーディングマトリックスインジケーター（ＰＭＩ）情報及び前記ターゲットＳＲＳリソースのアンテナポート数に基づき、アンテナポート数、ＰＭＩ情報及びプリコーディング行列の間のマッピング関係によって、前記伝送待ちのアップリンクデータのプリコーディング行列を指示するステップをさらに含むことを特徴とする請求項１６−２２のいずれか一項に記載の方法。
【請求項２４】
前記ネットワーク装置が前記端末から送信されるＳＲＳを第１ＳＲＳリソースセット中のＳＲＳリソース上で受信することは、
前記ネットワーク装置が、前記端末から送信される周期的ＳＲＳ又は半永続的ＳＲＳである前記ＳＲＳを前記第１ＳＲＳリソースセット中のＳＲＳリソース上で受信するステップを含むことを特徴とする請求項１６−２３のいずれか一項に記載の方法。
【請求項２５】
前記ネットワーク装置が前記端末から送信される前記ＳＲＳを前記第１ＳＲＳリソースセット中のＳＲＳリソース上で受信することは、
前記ネットワーク装置が、前記端末から送信される前記ＳＲＳを前記第１ＳＲＳリソースセット中のＳＲＳリソースの一部のアンテナポート上で受信するステップを含むことを特徴とする請求項２３又は２４に記載の方法。
【請求項２６】
前記ネットワーク装置が、前記端末に前記第１ＳＲＳリソースセットを設定するための設定情報を、前記端末に送信するステップをさらに含むことを特徴とする請求項１６−２５のいずれか一項に記載の方法。
【請求項２７】
端末であって、確定ユニット、受信ユニット、及び送信ユニットを備え、
前記確定ユニットは、第１サウンディング参照信号（ＳＲＳ）リソースセットを確定するように構成され、
前記受信ユニットは、ネットワーク装置から送信される第１指示情報であって、非周期的ＳＲＳを伝送するように前記端末に指示するための第１指示情報を受信するように構成され、
前記確定ユニットは、さらに、前記第１指示情報及び前記第１ＳＲＳリソースセットに基づき、ターゲットＳＲＳリソースセットを確定するように構成され、
前記送信ユニットは、前記ターゲットＳＲＳリソースセット中のＳＲＳリソース上で前記ネットワーク装置に前記非周期的ＳＲＳを送信するように構成され、
前記受信ユニットはさらに、前記ネットワーク装置から送信される第２指示情報であって、前記ターゲットＳＲＳリソースセット中のターゲットＳＲＳリソースを指示するための第２指示情報を受信するように構成され、
前記確定ユニットはさらに、前記ターゲットＳＲＳリソースに基づき、伝送待ちのアップリンク信号を伝送するための伝送パラメータを確定するように構成されることを特徴とする端末。
【請求項２８】
前記第１指示情報は前記ターゲットＳＲＳリソースセットを指示するために用いられ、
前記確定ユニットは具体的には、
前記第１指示情報に基づき、前記第１ＳＲＳリソースセットから、前記第１ＳＲＳリソースセットのサブセットである前記ターゲットＳＲＳリソースセットを確定するように構成されることを特徴とする請求項２７に記載の端末。
【請求項２９】
前記第１指示情報は、前記第１ＳＲＳリソースセット中の第１ＳＲＳリソースを指示するために用いられ、
前記確定ユニットは具体的には、
前記第１指示情報に基づき、前記第１ＳＲＳリソースセットから前記第１ＳＲＳリソースを確定し、
前記第１ＳＲＳリソース及び前記第１ＳＲＳリソースセット中の各ＳＲＳリソースと第２ＳＲＳリソースセットとの対応関係に基づき、前記第１ＳＲＳリソースに対応する第２ＳＲＳリソースセットを前記ターゲットリソースセットとして確定するように構成されることを特徴とする請求項２７に記載の端末。
【請求項３０】
前記第１ＳＲＳリソースセット中の異なるＳＲＳリソースは、異なる第２ＳＲＳリソースセットに対応することを特徴とする請求項２９に記載の端末。
【請求項３１】
前記第１指示情報は、前記第１ＳＲＳリソースセット中の第２ＳＲＳリソースを指示するために用いられ、
前記確定ユニットは具体的には、
前記第１指示情報及び前記第１ＳＲＳリソースセットに基づき、前記第１ＳＲＳリソースセット中の前記第２ＳＲＳリソースのインデックスを確定し、
前記第１ＳＲＳリソースセット中の前記第２ＳＲＳリソースのインデックス、及び第１ＳＲＳリソースセット中のＳＲＳリソースのインデックスとインデックスセットとの対応関係に基づき、前記第２ＳＲＳリソースに対応するインデックスセットを確定し、
前記第２ＳＲＳリソースに対応するインデックスセット中のインデックスに指示されるＳＲＳリソースによって、前記ターゲットＳＲＳリソースセットを形成することを確定するように構成されることを特徴とする請求項２７に記載の端末。
【請求項３２】
前記第１ＳＲＳリソースセット中の異なるＳＲＳリソース上でＳＲＳ信号を伝送するために使用されるビームは異なることを特徴とする請求項２７−３１のいずれか一項に記載の端末。
【請求項３３】
前記ターゲットＳＲＳリソースセット中の異なるＳＲＳリソース上でＳＲＳ信号を伝送するために使用されるビームは異なることを特徴とする請求項２７−３２のいずれか一項に記載の端末。
【請求項３４】
前記伝送パラメータはビームフォーミング重みであり、
前記確定ユニットは具体的には、
前記ターゲットＳＲＳリソース上でＳＲＳ信号を伝送するために使用されるビームフォーミング重みを、前記伝送待ちのアップリンク信号を伝送するために使用されるビームフォーミング重みとするように構成されることを特徴とする請求項２７−３３のいずれか一項に記載の端末。
【請求項３５】
前記伝送パラメータはプリコーディング行列であり、
前記確定ユニットは具体的には、
前記ネットワーク装置から送信される第１プリコーディングマトリックスインジケーター（ＰＭＩ）情報を受信し、
前記ターゲットＳＲＳリソースのアンテナポート数、及び第１ＰＭＩ情報に基づき、アンテナポート数、ＰＭＩ情報及びプリコーディング行列の間のマッピング関係によって、前記伝送待ちのアップリンクデータのプリコーディング行列を確定するように構成されることを特徴とする請求項２７−３３のいずれか一項に記載の端末。
【請求項３６】
前記送信ユニットはさらに、
前記第１ＳＲＳリソースセット中のＳＲＳリソース上で前記ネットワーク装置にＳＲＳを送信するように構成されることを特徴とする請求項２７−３５のいずれか一項に記載の端末。
【請求項３７】
前記送信ユニットは具体的には、さらに、
前記第１ＳＲＳリソースセット中のＳＲＳリソース上で、周期的ＳＲＳ又は半永続的ＳＲＳである前記ＳＲＳを伝送するように構成されることを特徴とする請求項３６に記載の端末。
【請求項３８】
前記送信ユニットは具体的には、さらに、
前記第１ＳＲＳリソースセット中のＳＲＳリソースの一部のアンテナポート上で前記ネットワーク装置に前記ＳＲＳを送信するように構成されることを特徴とする請求項３６又は３７に記載の端末。
【請求項３９】
前記確定ユニットはさらに、
前記ネットワーク装置から送信される設定情報であって、前記端末に前記第１ＳＲＳリソースセットを設定するための設定情報を受信するように構成されることを特徴とする請求項２７−３８のいずれか一項に記載の端末。
【請求項４０】
前記設定情報は上位層シグナリング又は媒体アクセス制御ＭＡＣ層シグナリングに搬送されることを特徴とする請求項３９に記載の端末。
【請求項４１】
前記受信ユニットはさらに、
前記ネットワーク装置から送信される、前記伝送待ちのアップリンクデータをスケジューリングするためのダウンリンク制御情報（ＤＣＩ）であって、前記第２指示情報を含むＤＣＩを受信するように構成されることを特徴とする請求項２７−４０のいずれか一項に記載の端末。
【請求項４２】
ネットワーク装置であって、受信ユニット、確定ユニット、及び送信ユニットを備え、
前記受信ユニットは、端末から送信されるＳＲＳを第１ＳＲＳリソースセット中のＳＲＳリソース上で受信するように構成され、
前記確定ユニットは、前記ＳＲＳに基づき、前記第１指示情報を確定するように構成され、前記第１指示情報が前記ターゲットＳＲＳ伝送リソースを確定することに用いられ、
前記送信ユニットは、非周期的ＳＲＳを伝送するように前記端末に指示するための前記第１指示情報を前記端末に送信するように構成され、
前記受信ユニットはさらに、前記端末から送信される前記非周期的ＳＲＳをターゲットＳＲＳリソースセット中のＳＲＳリソース上で受信するように構成され、
前記確定ユニットはさらに、前記ターゲットＳＲＳリソースに基づき、前記端末が伝送待ちのアップリンク信号を伝送する伝送パラメータを確定するように構成され、
前記送信ユニットはさらに、第２指示情報を前記端末に送信するように構成され、前記第２指示情報が、前記ターゲットＳＲＳリソースセット中のターゲットＳＲＳリソースを指示することに用いられ、前記ターゲットＳＲＳリソースが、前記端末が伝送待ちのアップリンク信号を伝送する伝送パラメータを確定することに用いられることを特徴とするネットワーク装置。
【請求項４３】
前記第１指示情報は前記ターゲットＳＲＳリソースセットを指示するために用いられ、前記ターゲットＳＲＳリソースセットは前記第１ＳＲＳリソースセットのサブセットであることを特徴とする請求項４２に記載のネットワーク装置。
【請求項４４】
前記第１指示情報は、前記第１ＳＲＳリソースセット中の第１ＳＲＳリソースを指示するために用いられ、前記第１ＳＲＳリソースセット中のＳＲＳリソースは１つの第２ＳＲＳリソースセットに対応し、前記第１ＳＲＳリソースに対応する第２ＳＲＳリソースセットは前記ターゲットＳＲＳリソースセットであることを特徴とする請求項４２に記載のネットワーク装置。
【請求項４５】
前記第１指示情報は、前記第１ＳＲＳリソースセット中の第２ＳＲＳリソースを指示するために用いられ、前記第１ＳＲＳリソースセット中の前記第２ＳＲＳリソースのインデックスは１つのインデックスセットに対応し、前記第２ＳＲＳリソースに対応するインデックスセット中のインデックスに指示されるＳＲＳリソースによって前記ターゲットＳＲＳリソースセットを形成することを特徴とする請求項４２に記載のネットワーク装置。
【請求項４６】
前記第１ＳＲＳリソースセット中の異なるＳＲＳリソース上でＳＲＳ信号を伝送するために使用されるビームは異なることを特徴とする請求項４１−４５のいずれか一項に記載のネットワーク装置。
【請求項４７】
前記ターゲットＳＲＳリソースセット中の異なるＳＲＳリソース上でＳＲＳ信号を伝送するために使用されるビームは異なることを特徴とする請求項４１−４６のいずれか一項に記載のネットワーク装置。
【請求項４８】
前記伝送パラメータはビームフォーミング重みであり、前記ターゲットＳＲＳリソース上でＳＲＳ信号を伝送するために使用されるビームフォーミング重みを、前記伝送待ちのアップリンク信号を伝送するために使用されるビームフォーミング重みとすることを特徴とする請求項４１−４７のいずれか一項に記載のネットワーク装置。
【請求項４９】
前記伝送パラメータはプリコーディング行列であり、
前記送信ユニットは具体的には、さらに、
前記端末に第１プリコーディングマトリックスインジケーター（ＰＭＩ）情報を送信し、前記第１プリコーディングマトリックスインジケーター（ＰＭＩ）情報及び前記ターゲットＳＲＳリソースのアンテナポート数に基づき、アンテナポート数、ＰＭＩ情報及びプリコーディング行列の間のマッピング関係によって、前記伝送待ちのアップリンクデータのプリコーディング行列を指示するように構成されることを特徴とする請求項４１−４８のいずれか一項に記載のネットワーク装置。
【請求項５０】
前記受信ユニットは具体的には、さらに、
前記端末から送信される周期的ＳＲＳ又は半永続的ＳＲＳである前記ＳＲＳを前記第１ＳＲＳリソースセット中のＳＲＳリソース上で受信するように構成されることを特徴とする請求項４１−４９のいずれか一項に記載のネットワーク装置。
【請求項５１】
前記受信ユニットは具体的には、さらに、
前記端末から送信される前記ＳＲＳを前記第１ＳＲＳリソースセット中のＳＲＳリソースの一部のアンテナポート上で受信するように構成されることを特徴とする請求項４９又は５０に記載のネットワーク装置。
【請求項５２】
前記送信ユニットはさらに、
前記端末に前記第１ＳＲＳリソースセットを設定するための設定情報を、前記端末に送信するように構成されることを特徴とする請求項４１−５１のいずれか一項に記載のネットワーク装置。
【発明の詳細な説明】
【技術分野】
【０００１】
本願は通信分野に関し、より具体的には、アップリンク信号の伝送パラメータを確定する方法、端末及びネットワーク装置に関する。
【背景技術】
【０００２】
従来の通信システムでは、非周期的サウンディング参照信号（ＳＲＳ：Ｓｏｕｎｄｉｎｇ  Ｒｅｆｅｒｅｎｃｅ  Ｓｉｇｎａｌ）の伝送メカニズムが導入されており、基地局はダウンリンク制御情報（ＤＣＩ：Ｄｏｗｎｌｉｎｋ  Ｃｏｎｔｒｏｌ  Ｉｎｆｏｒｍａｔｉｏｎ）によって端末をトリガーして非周期的ＳＲＳを伝送させることができる。ＳＲＳを伝送して異なる帯域のアップリンクチャネル品質を推定し、ネットワーク装置が瞬時チャネル状態の比較的良い伝送リソースを端末にアップリンク信号伝送のために割り当てるようにする。
【０００３】
しかしながら、従来の通信システムでは、上記のような非周期的ＳＲＳを伝送するために大量のＳＲＳリソースが設定されており、ＳＲＳがチャネル状態を瞬時に推定するためだけに使用される場合、ある程度では、ＳＲＳリソースの使用の合理性が低下し、ＳＲＳリソース浪費を招いてしまう。
【発明の概要】
【発明が解決しようとする課題】
【０００４】
本願の実施例は、ＳＲＳリソースを合理的に使用してＳＲＳリソースの浪費を減らすアップリンク信号の伝送パラメータを確定する方法、端末及びネットワーク装置を提供する。
【課題を解決するための手段】
【０００５】
第１態様によれば、アップリンク信号の伝送パラメータを確定する方法を提供し、端末は第１サウンディング参照信号（ＳＲＳ）リソースセットを確定するステップと、前記端末はネットワーク装置から送信される第１指示情報であって、非周期的ＳＲＳを伝送するように前記端末に指示するための第１指示情報を受信するステップと、前記端末は前記第１指示情報及び前記第１ＳＲＳリソースセットに基づき、ターゲットＳＲＳリソースセットを確定するステップと、前記端末は前記ターゲットＳＲＳリソースセット中のＳＲＳリソース上で前記ネットワーク装置に前記非周期的ＳＲＳを送信するステップと、前記端末は前記ネットワーク装置から送信される第２指示情報であって、前記ターゲットＳＲＳリソースセット中のターゲットＳＲＳリソースを指示するための第２指示情報を受信するステップと、前記端末は前記ターゲットＳＲＳリソースに基づき、伝送待ちのアップリンク信号を伝送するための伝送パラメータを確定するステップと、を含むことを特徴とする。
【０００６】
本願の実施例では、端末はターゲットＳＲＳリソースに基づき、伝送待ちのアップリンク信号を伝送するための伝送パラメータを確定することにより、従来技術ではＳＲＳリソースがＳＲＳを伝送してチャネル状態を推定するためだけに使用されることを回避し、ＳＲＳリソースを合理的に使用してＳＲＳリソースの浪費を回避する。
【０００７】
さらに、ターゲットＳＲＳリソースセット中のＳＲＳリソース上でＳＲＳを送信してチャネル推定を行い、ターゲットＳＲＳリソースを確定し、ターゲットＳＲＳリソースに基づき、該端末が伝送待ちのアップリンク信号を伝送する伝送パラメータを確定することにより、端末が伝送待ちのアップリンク信号を伝送するための伝送パラメータを確定する正確性の向上に有利である。
【０００８】
第１態様において、いくつかの可能な実施形態では、前記第１指示情報は前記ターゲットＳＲＳリソースセットを指示するために用いられ、前記端末が前記第１指示情報及び前記第１ＳＲＳリソースセットに基づき、ターゲットＳＲＳリソースセットを確定することは、前記端末が前記第１指示情報に基づき、前記第１ＳＲＳリソースセットから、前記第１ＳＲＳリソースセットのサブセットである前記ターゲットＳＲＳリソースセットを確定するステップを含む。
【０００９】
第１態様において、いくつかの可能な実施形態では、前記第１指示情報は、前記第１ＳＲＳリソースセット中の第１ＳＲＳリソースを指示するために用いられ、前記端末が前記第１指示情報及び前記第１ＳＲＳリソースセットに基づき、ターゲットＳＲＳリソースセットを確定することは、前記端末が前記第１指示情報に基づき、前記第１ＳＲＳリソースセットから前記第１ＳＲＳリソースを確定するステップと、前記端末が前記第１ＳＲＳリソース及び前記第１ＳＲＳリソースセット中の各ＳＲＳリソースと第２ＳＲＳリソースセットとの対応関係に基づき、前記第１ＳＲＳリソースに対応する第２ＳＲＳリソースセットを前記ターゲットリソースセットとして確定するステップと、を含む。
【００１０】
第１態様において、いくつかの可能な実施形態では、前記第１ＳＲＳリソースセット中の異なるＳＲＳリソースは、異なる第２ＳＲＳリソースセットに対応する。
【００１１】
第１態様において、いくつかの可能な実施形態では、前記第１指示情報は、前記第１ＳＲＳリソースセット中の第２ＳＲＳリソースを指示するために用いられ、前記端末が前記第１指示情報及び前記第１ＳＲＳリソースセットに基づき、ターゲットＳＲＳリソースセットを確定することは、前記端末が前記第１指示情報及び前記第１ＳＲＳリソースセットに基づき、前記第１ＳＲＳリソースセット中の前記第２ＳＲＳリソースのインデックスを確定するステップと、前記端末が前記第１ＳＲＳリソースセット中の前記第２ＳＲＳリソースのインデックス、及び第１ＳＲＳリソースセット中のＳＲＳリソースのインデックスとインデックスセットとの対応関係に基づき、前記第２ＳＲＳリソースに対応するインデックスセットを確定するステップと、前記端末が前記第２ＳＲＳリソースに対応するインデックスセット中のインデックスに指示されるＳＲＳリソースによって、前記ターゲットＳＲＳリソースセットを形成することを確定するステップと、を含む。
【００１２】
第１態様において、いくつかの可能な実施形態では、前記第１ＳＲＳリソースセット中の異なるＳＲＳリソース上でＳＲＳ信号を伝送するために使用されるビームは異なる。
【００１３】
第１態様において、いくつかの可能な実施形態では、前記ターゲットＳＲＳリソースセット中の異なるＳＲＳリソース上でＳＲＳ信号を伝送するために使用されるビームは異なる。
【００１４】
第１態様において、いくつかの可能な実施形態では、前記伝送パラメータはビームフォーミング重みであり、前記端末が前記ターゲットＳＲＳリソースに基づき、伝送待ちのアップリンク信号を伝送するための伝送パラメータを確定することは、前記端末が前記ターゲットＳＲＳリソース上でＳＲＳ信号を伝送するために使用されるビームフォーミング重みを、前記伝送待ちのアップリンク信号を伝送するために使用されるビームフォーミング重みとするステップを含む。
【００１５】
第１態様において、いくつかの可能な実施形態では、前記伝送パラメータはプリコーディング行列であり、前記端末が前記ターゲットＳＲＳリソースに基づき、伝送待ちのアップリンク信号を伝送するための伝送パラメータを確定することは、前記端末が前記ネットワーク装置から送信される第１プリコーディングマトリックスインジケーター（ＰＭＩ）情報を受信するステップと、前記端末が前記ターゲットＳＲＳリソースのアンテナポート数、及び第１ＰＭＩ情報に基づき、アンテナポート数、ＰＭＩ情報及びプリコーディング行列の間のマッピング関係によって、前記伝送待ちのアップリンクデータのプリコーディング行列を確定するステップと、を含む。
【００１６】
第１態様において、いくつかの可能な実施形態では、前記端末が第１ＳＲＳリソースセットを確定した後、前記方法は、前記端末が前記第１ＳＲＳリソースセット中のＳＲＳリソース上で前記ネットワーク装置にＳＲＳを送信するステップをさらに含む。
【００１７】
第１態様において、いくつかの可能な実施形態では、前記端末が前記第１ＳＲＳリソースセット中のＳＲＳリソース上でＳＲＳを伝送することは、前記端末が前記第１ＳＲＳリソースセット中のＳＲＳリソース上で、周期的ＳＲＳ又は半永続的ＳＲＳである前記ＳＲＳを伝送するステップを含む。
【００１８】
第１態様において、いくつかの可能な実施形態では、前記端末が前記第１ＳＲＳリソースセット中のＳＲＳリソース上で前記ネットワーク装置にＳＲＳを送信することは、前記端末が前記第１ＳＲＳリソースセット中のＳＲＳリソースの一部のアンテナポート上で前記ネットワーク装置に前記ＳＲＳを送信するステップを含む。
【００１９】
第１態様において、いくつかの可能な実施形態では、前記端末が第１サウンディング参照信号（ＳＲＳ）リソースセットを確定することは、前記端末が前記ネットワーク装置から送信される設定情報であって、前記端末に前記第１ＳＲＳリソースセットを設定するための設定情報を受信するステップを含む。
【００２０】
第１態様において、いくつかの可能な実施形態では、前記設定情報は上位層シグナリング又は媒体アクセス制御ＭＡＣ層シグナリングに搬送される。
【００２１】
第１態様において、いくつかの可能な実施形態では、前記端末が前記ネットワーク装置から送信される第２指示情報を受信することは、前記端末は、前記ネットワーク装置から送信される、前記伝送待ちのアップリンクデータをスケジューリングするためのダウンリンク制御情報（ＤＣＩ）であって、前記第２指示情報を含むＤＣＩを受信するステップを含む。
【００２２】
第２態様によれば、アップリンク信号の伝送パラメータを確定する方法を提供し、ネットワーク装置は端末から送信されるＳＲＳを第１ＳＲＳリソースセット中のＳＲＳリソース上で受信するステップと、前記ネットワーク装置は前記ＳＲＳに基づき、第１指示情報を確定するステップであって、前記第１指示情報が前記ターゲットＳＲＳ伝送リソースを確定することに用いられるステップと、前記ネットワーク装置は非周期的ＳＲＳを伝送するように前記端末に指示するための前記第１指示情報を前記端末に送信するステップと、前記ネットワーク装置は前記端末から送信される前記非周期的ＳＲＳをターゲットＳＲＳリソースセット中のＳＲＳリソース上で受信するステップと、前記ネットワーク装置は前記ターゲットＳＲＳリソースに基づき、前記端末が伝送待ちのアップリンク信号を伝送する伝送パラメータを確定するステップと、前記ネットワーク装置が、第２指示情報を前記端末に送信するステップであって、前記第２指示情報が、前記ターゲットＳＲＳリソースセット中のターゲットＳＲＳリソースを指示することに用いられ、前記ターゲットＳＲＳリソースが、前記端末が伝送待ちのアップリンク信号を伝送する伝送パラメータを確定することに用いられる、ステップと、を含む。
【００２３】
本願の実施例では、端末はターゲットＳＲＳリソースに基づき、伝送待ちのアップリンク信号を伝送するための伝送パラメータを確定することにより、従来技術ではＳＲＳリソースがＳＲＳを伝送してチャネル状態を推定するためだけに使用されることを回避し、ＳＲＳリソースを合理的に使用してＳＲＳリソースの浪費を回避する。
【００２４】
さらに、ターゲットＳＲＳリソースセット中のＳＲＳリソース上でＳＲＳを送信してチャネル推定を行い、ターゲットＳＲＳリソースを確定し、ターゲットＳＲＳリソースに基づき、該端末が伝送待ちのアップリンク信号を伝送する伝送パラメータを確定することにより、端末が伝送待ちのアップリンク信号を伝送するための伝送パラメータを確定する正確性の向上に有利である。
【００２５】
第２態様において、いくつかの可能な実施形態では、前記第１指示情報は前記ターゲットＳＲＳリソースセットを指示するために用いられ、前記ターゲットＳＲＳリソースセットは前記第１ＳＲＳリソースセットのサブセットである。
【００２６】
第２態様において、いくつかの可能な実施形態では、前記第１指示情報は、前記第１ＳＲＳリソースセット中の第１ＳＲＳリソースを指示するために用いられ、前記第１ＳＲＳリソースセット中のＳＲＳリソースは１つの第２ＳＲＳリソースセットに対応し、前記第１ＳＲＳリソースに対応する第２ＳＲＳリソースセットは前記ターゲットＳＲＳリソースセットである。
【００２７】
第２態様において、いくつかの可能な実施形態では、前記第１指示情報は、前記第１ＳＲＳリソースセット中の第２ＳＲＳリソースを指示するために用いられ、前記第１ＳＲＳリソースセット中の前記第２ＳＲＳリソースのインデックスは１つのインデックスセットに対応し、前記第２ＳＲＳリソースに対応するインデックスセット中のインデックスに指示されるＳＲＳリソースによって前記ターゲットＳＲＳリソースセットを形成する。
【００２８】
第２態様において、いくつかの可能な実施形態では、前記第１ＳＲＳリソースセット中の異なるＳＲＳリソース上でＳＲＳ信号を伝送するために使用されるビームは異なる。
【００２９】
第２態様において、いくつかの可能な実施形態では、前記ターゲットＳＲＳリソースセット中の異なるＳＲＳリソース上でＳＲＳ信号を伝送するために使用されるビームは異なる。
【００３０】
第２態様において、いくつかの可能な実施形態では、前記伝送パラメータはビームフォーミング重みであり、前記ターゲットＳＲＳリソース上でＳＲＳ信号を伝送するために使用されるビームフォーミング重みを、前記伝送待ちのアップリンク信号を伝送するために使用されるビームフォーミング重みとする。
【００３１】
第２態様において、いくつかの可能な実施形態では、前記伝送パラメータはプリコーディング行列であり、前記方法は、前記ネットワーク装置は前記端末に第１プリコーディングマトリックスインジケーター（ＰＭＩ）情報を送信し、前記第１プリコーディングマトリックスインジケーター（ＰＭＩ）情報及び前記ターゲットＳＲＳリソースのアンテナポート数に基づき、アンテナポート数、ＰＭＩ情報及びプリコーディング行列の間のマッピング関係によって、前記伝送待ちのアップリンクデータのプリコーディング行列を指示するステップをさらに含む。
【００３２】
第２態様において、いくつかの可能な実施形態では、前記ネットワーク装置が前記端末から送信されるＳＲＳを第１ＳＲＳリソースセット中のＳＲＳリソース上で受信することは、前記ネットワーク装置が前記端末から送信される周期的ＳＲＳ又は半永続的ＳＲＳである前記ＳＲＳを前記第１ＳＲＳリソースセット中のＳＲＳリソース上で受信するステップを含む。
【００３３】
第２態様において、いくつかの可能な実施形態では、前記ネットワーク装置が前記端末から送信される前記ＳＲＳを前記第１ＳＲＳリソースセット中のＳＲＳリソース上で受信することは、前記ネットワーク装置が前記端末から送信される前記ＳＲＳを前記第１ＳＲＳリソースセット中のＳＲＳリソースの一部のアンテナポート上で受信するステップを含む。
【００３４】
第２態様において、いくつかの可能な実施形態では、前記方法は、前記ネットワーク装置が前記端末に前記第１ＳＲＳリソースセットを設定するための設定情報を、前記端末に送信するステップをさらに含む。
【００３５】
第３態様によれば、第１態様における方法を実行するためのユニットを備える端末を提供する。
【００３６】
第４態様によれば、第２態様における方法を実行するためのユニットを備えるネットワーク装置を提供する。
【００３７】
第５態様によれば、端末を提供し、メモリ、プロセッサ、入力／出力インタフェース及び通信インタフェースを備える。メモリ、プロセッサ、入力／出力インタフェース及び通信インタフェースが通信接続され、該メモリは命令を記憶し、該プロセッサは該メモリに記憶された命令を実行し、前記命令が実行されると、前記プロセッサは前記通信インタフェースによって第１態様における方法を実行し、入力／出力インタフェースが入力されたデータ及び情報を受信し、操作結果等のデータを出力するように制御する。
【００３８】
第６態様によれば、ネットワーク装置を提供し、メモリ、プロセッサ、入力／出力インタフェース及び通信インタフェースを備える。メモリ、プロセッサ、入力／出力インタフェース及び通信インタフェースが通信接続され、該メモリは命令を記憶し、該プロセッサは該メモリに記憶された命令を実行し、前記命令が実行されると、前記プロセッサは前記通信インタフェースによって第２態様における方法を実行し、入力／出力インタフェースが入力されたデータ及び情報を受信し、操作結果等のデータを出力するように制御する。
【００３９】
第７態様によれば、コンピュータ可読媒体を提供し、前記コンピュータ可読媒体は端末装置によって実行されるプログラムコードを記憶し、前記プログラムコードは上記各態様における方法を実行するための命令を含む。
【００４０】
第８態様によれば、命令を含むコンピュータプログラム製品を提供し、コンピュータによって実行されると、コンピュータに前記各態様に記載の方法を実行させる。
【図面の簡単な説明】
【００４１】
【図１】図１は本願の実施例を適用できる無線通信システム１００である。
【図２】図２は本願の実施例に係るアップリンク信号の伝送パラメータを確定する方法の概略フローチャートである。
【図３】図３は本願の実施例に係るアップリンク信号の伝送パラメータを確定する方法の概略フローチャートである。
【図４】図４は本願の実施例に係る端末の概略ブロック図である。
【図５】図５は本願の別の実施例に係る端末の概略ブロック図である。
【図６】図６は本願の実施例に係るネットワーク装置の概略ブロック図である。
【図７】図７は本願の別の実施例に係る端末の概略ブロック図である。
【発明を実施するための形態】
【００４２】
以下、図面を参照しながら本願の技術案を説明する。
【００４３】
図１は本願の実施例を適用できる無線通信システム１００である。該無線通信システム１００はネットワーク装置１１０を備える。ネットワーク装置１１０は端末装置と通信する装置であり得る。ネットワーク装置１１０は特定の地理的エリアに通信カバレッジを提供でき、且つ該カバレッジエリア内に位置する端末装置と通信できる。
【００４４】
図１は１つのネットワーク装置及び２つの端末を例示的に示しているが、該無線通信システム１００は複数のネットワーク装置を備え、且つ各ネットワーク装置のカバレッジエリア内にほかの数の端末を備えるようにしてもよく、本願の実施例ではそれを限定しない。
【００４５】
好ましくは、該無線通信システム１００はネットワークコントローラ、モバイル管理エンティティ等のようなほかのネットワークエンティティをさらに備えてもよく、本願の実施例ではそれを限定しない。
【００４６】
なお、本願の技術案は、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、発展型ロングタームエボリューション（ＬＴＥ−Ａ：Ａｄｖａｎｃｅｄ  ｌｏｎｇ  ｔｅｒｍ  ｅｖｏｌｕｔｉｏｎ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、新しい無線アクセス技術（ＮＲ：Ｎｅｗ  Ｒａｄｉｏ  Ａｃｃｅｓｓ  Ｔｅｃｈｎｏｌｏｇｙ）、５Ｇ等のような種々の通信システムに適用できる。
【００４７】
さらになお、本願の実施例では、端末装置は、移動局（ＭＳ：Ｍｏｂｉｌｅ  Ｓｔａｔｉｏｎ）、モバイル端末（Ｍｏｂｉｌｅ  Ｔｅｒｍｉｎａｌ）、携帯電話（Ｍｏｂｉｌｅ  Ｔｅｌｅｐｈｏｎｅ）、ユーザー装置（ＵＥ：Ｕｓｅｒ  Ｅｑｕｉｐｍｅｎｔ）、ハンドセット（ｈａｎｄｓｅｔ）及びポータブル装置（ｐｏｒｔａｂｌｅ  ｅｑｕｉｐｍｅｎｔ）等を含むが、それらに限定されず、該端末装置は無線アクセスネットワーク（ＲＡＮ：Ｒａｄｉｏ  Ａｃｃｅｓｓ  Ｎｅｔｗｏｒｋ）を介して１つ又は複数のコアネットワークと通信可能であり、例えば、端末装置は携帯電話（又は、「セルラー」電話と呼称される）、無線通信機能を有するコンピュータ等であってもよく、端末装置はポータブル式、ポケット式、手持ち式、コンピュータ内蔵型又は車載型のモバイル装置であってもよい。
【００４８】
本願の実施例では、ネットワーク装置は、例えば基地局、送受信ポイント（ＴＲＰ：Ｔｒａｎｓｍｉｔ  ａｎｄ  Ｒｅｃｅｉｖｅ  Ｐｏｉｎｔ）又はアクセスポイントのようなアクセスネットワーク装置であってもよく、基地局はＧＳＭ又はＣＤＭＡ中の基地局（ＢＴＳ：Ｂａｓｅ  Ｔｒａｎｓｃｅｉｖｅｒ  Ｓｔａｔｉｏｎ）であってもよく、ＷＣＤＭＡ中の基地局（ＮｏｄｅＢ）であってもよく、ＬＴＥ中の発展型基地局（ｅＮＢ又はｅ−ＮｏｄｅＢ：ｅｖｏｌｖｅｄ  Ｎｏｄｅ  Ｂ）であってもよく、ＮＲ又は５Ｇの基地局（ｇＮＢ）であってもよく、本願の実施例ではそれを特に限定しない。
【００４９】
５Ｇ通信システムにおいて、ＳＲＳは周期的ＳＲＳ及び半永続的ＳＲＳを含み、周期的ＳＲＳは周期的ＳＲＳリソース上で連続的に伝送することができ、半永続的ＳＲＳはアクティブ化及び非アクティブ化シグナリングによって端末によるＳＲＳの周期的伝送の開始又は停止を制御することができる。
【００５０】
ＳＲＳはチャネル状態情報（ＣＳＩ：Ｃｈａｎｎｅｌ  Ｓｔａｔｅ  Ｉｎｆｏｒｍａｔｉｏｎ）を取得するために使用され、さらにビーム管理に使用される。つまり、端末は異なるビームを使用して異なるＳＲＳリソース上でＳＲＳ信号を伝送することができ、ネットワーク装置は上記ＳＲＳを検出して、受信品質が比較的良いＳＲＳに使用されるＳＲＳリソースを確定し且つ端末に指示し、端末は該ＳＲＳ信号に使用されるビームを後続のアップリンク信号の伝送に使用できる。
【００５１】
アップリンク信号を伝送する「最適ビーム」を得るために、端末は複数の異なるビームを使用してＳＲＳを伝送する必要があり、従って、大量のＳＲＳリソースを設定する必要がある。如何に上記ＳＲＳリソースを合理的に使用してアップリンク信号の伝送パラメータ（例えば、ビームフォーミング重み）を効率的かつ正確に選択するか。
【００５２】
図２は本願の実施例に係るアップリンク信号の伝送パラメータを確定する方法の概略フローチャートである。図２に示される方法は、ステップ２１０〜２６０を含む。
【００５３】
２１０において、端末は第１サウンディング参照信号（ＳＲＳ）リソースセットを確定する。
【００５４】
具体的には、上記第１ＳＲＳリソースセットは少なくとも１つのＳＲＳリソースを含み、該ＳＲＳリソースはＳＲＳを伝送するための伝送リソースであってもよい。
【００５５】
好ましくは、前記第１ＳＲＳリソースセット中の異なるＳＲＳリソース上でＳＲＳ信号を伝送するために使用されるビームは異なる。
【００５６】
２２０において、前記端末はネットワーク装置から送信される第１指示情報であって、非周期的ＳＲＳを伝送するように前記端末に指示するための第１指示情報を受信する。
【００５７】
具体的には、上記非周期的ＳＲＳ（Ａｐｅｒｉｏｄｉｃ  ＳＲＳ）とは、非周期的に伝送されるＳＲＳであってもよい。
【００５８】
上記第１指示情報は、端末が非周期的ＳＲＳを伝送することをトリガーするトリガー命令としてもよい。
【００５９】
２３０において、前記端末は前記第１指示情報及び前記第１ＳＲＳリソースセットに基づき、ターゲットＳＲＳリソースセットを確定する。
【００６０】
好ましくは、前記ターゲットＳＲＳリソースセット中の異なるＳＲＳリソース上でＳＲＳ信号を伝送するために使用されるビームは異なる。
【００６１】
具体的には、ターゲットＳＲＳリソースセット中の異なるＳＲＳリソース上で異なるビームフォーミング重みを使用してＳＲＳを送信する。
【００６２】
好ましくは、一実施例として、前記第１指示情報は前記ターゲットＳＲＳリソースセットを指示するために用いられ、ステップ２３０は、前記端末が前記第１指示情報に基づき、前記第１ＳＲＳリソースセットから、前記第１ＳＲＳリソースセットのサブセットである前記ターゲットＳＲＳリソースセットを確定するステップを含む。
【００６３】
具体的には、前記端末が前記第１指示情報に基づき、前記第１ＳＲＳリソースセットから前記ターゲットＳＲＳリソースセットを確定するとは、端末が第１指示情報により指示されるターゲットＳＲＳリソースセットに基づき、第１ＳＲＳリソースセットからターゲットＳＲＳリソースセットに属する伝送リソースを選択することであってもよい。
【００６４】
例えば、第１指示情報はビットマップ（ｂｉｔｍａｐ）の方式によってターゲットＳＲＳリソースセットを指示する。ここで、ビットマップ中の各ビットは１つのＳＲＳリソースに対応し、又はビットマップ中の各ビットは１つのＳＲＳリソース領域に対応する。
【００６５】
また、例えば、第１指示情報は第１ＳＲＳリソースセット中のＳＲＳリソースのインデックスの方式によってターゲットＳＲＳリソースセットを指示する。
【００６６】
好ましくは、一実施例として、前記第１指示情報は、前記第１ＳＲＳリソースセット中の第１ＳＲＳリソースを指示するために用いられ、ステップ２３０は、前記端末が前記第１指示情報に基づき、前記第１ＳＲＳリソースセットから前記第１ＳＲＳリソースを確定するステップと、前記端末が前記第１ＳＲＳリソース及び前記第１ＳＲＳリソースセット中の各ＳＲＳリソースと第２ＳＲＳリソースセットとの対応関係に基づき、前記第１ＳＲＳリソースに対応する第２ＳＲＳリソースセットを前記ターゲットリソースセットとして確定するステップと、を含む。
【００６７】
好ましくは、前記第１ＳＲＳリソースセット中の異なるＳＲＳリソースは、異なる第２ＳＲＳリソースセットに対応する。
【００６８】
例えば、ワイドビームによって第１ＳＲＳリソースセットのＳＲＳリソース上でＳＲＳを送信し、ネットワーク装置は第１ＳＲＳリソースセット中のＳＲＳリソース上で送信されるＳＲＳに基づき、ＳＲＳ伝送品質が比較的良いワイドビームを第１ＳＲＳリソースとして選択し、端末は該ワイドビームに基づき、該ワイドビームと方向が同じ少なくとも１つのナロービームに対応するＳＲＳリソースを第２ＳＲＳリソースセット中の伝送リソースとして確定する。
【００６９】
好ましくは、一実施例として、前記第１指示情報は、前記第１ＳＲＳリソースセット中の第２ＳＲＳリソースを指示するために用いられ、ステップ２３０は、前記端末が前記第１指示情報及び前記第１ＳＲＳリソースセットに基づき、前記第１ＳＲＳリソースセット中の前記第２ＳＲＳリソースのインデックスを確定するステップと、前記端末が前記第１ＳＲＳリソースセット中の前記第２ＳＲＳリソースのインデックス、及び第１ＳＲＳリソースセット中のＳＲＳリソースのインデックスとインデックスセットとの対応関係に基づき、前記第２ＳＲＳリソースに対応するインデックスセットを確定するステップと、前記端末が前記第２ＳＲＳリソースに対応するインデックスセット中のインデックスに指示されるＳＲＳリソースによって、前記ターゲットＳＲＳリソースセットを形成することを確定するステップと、を含む。
【００７０】
例えば、第１ＳＲＳリソースセット中の第１ＳＲＳリソースのインデックスをｋとし、且つ該インデックスｋに対応するインデックスセットを｛ｋ，ｋ＋１，ｋ＋２，ｋ＋３｝とする場合、端末はインデックスセット中の各インデックスに基づき、第２ＳＲＳリソースセット中のＳＲＳリソースを確定する。
【００７１】
なお、第１ＳＲＳリソースセット中のＳＲＳリソースのインデックスとインデックスセットとの対応関係は、ネットワーク装置によって端末のために予め設定されてもよく、ネットワーク装置と端末によって通信プロトコルをもって予め定められてもよく、本願の実施例ではそれを限定しない。
【００７２】
２４０において、前記端末は前記ターゲットＳＲＳリソースセット中のＳＲＳリソース上で前記ネットワーク装置に前記非周期的ＳＲＳを送信する。
【００７３】
２５０において、前記端末は前記ネットワーク装置から送信される第２指示情報であって、前記ターゲットＳＲＳリソースセット中のターゲットＳＲＳリソースを指示するための第２指示情報を受信する。
【００７４】
具体的には、ネットワーク装置は端末がターゲットＳＲＳリソースセット中で送信する非周期的ＳＲＳに基づき、ターゲットＳＲＳリソースセット中の信号伝送が比較的良いＳＲＳリソースをターゲットＳＲＳリソースとして確定し、第２指示情報によって端末に指示する。
【００７５】
好ましくは、一実施例として、前記端末が前記ネットワーク装置から送信される第２指示情報を受信することは、前記端末が前記ネットワーク装置から送信される、前記伝送待ちのアップリンクデータをスケジューリングするためのダウンリンク制御情報（ＤＣＩ）であって、前記第２指示情報を含むＤＣＩを受信するステップを含む。
【００７６】
２６０において、前記端末は前記ターゲットＳＲＳリソースに基づき、伝送待ちのアップリンク信号を伝送するための伝送パラメータを確定する。
【００７７】
なお、上記伝送パラメータは、ビームフォーミング重み、プリコーディング指示情報、アップリンク信号の伝送に使用されるアンテナパネル（Ａｎｔｅｎｎａ  Ｐａｎｅｌ）、アップリンク信号の伝送に使用されるアンテナポート、アップリンク伝送の層数、アップリンク伝送に使用される変調符号化方式等のうち少なくとも１種を含んでもよく、本願の実施例ではそれを特に限定しない。
【００７８】
本願の実施例では、端末はターゲットＳＲＳリソースに基づき、伝送待ちのアップリンク信号を伝送するための伝送パラメータを確定することにより、従来技術ではＳＲＳリソースがＳＲＳを伝送してチャネル状態を推定するためだけに使用されることを回避し、ＳＲＳリソースを合理的に使用してＳＲＳリソースの浪費を回避する。
【００７９】
さらに、ターゲットＳＲＳリソースセット中のＳＲＳリソース上でＳＲＳを送信してチャネル推定を行い、ターゲットＳＲＳリソースを確定し、ターゲットＳＲＳリソースに基づき、該端末が伝送待ちのアップリンク信号を伝送する伝送パラメータを確定することにより、端末が伝送待ちのアップリンク信号を伝送するための伝送パラメータを確定する正確性の向上に有利である。
【００８０】
好ましくは、一実施例として、前記伝送パラメータはビームフォーミング重みであり、ステップ２６０は、前記端末が前記ターゲットＳＲＳリソース上でＳＲＳ信号を伝送するために使用されるビームフォーミング重みを、前記伝送待ちのアップリンク信号を伝送するために使用されるビームフォーミング重みとするステップを含む。
【００８１】
具体的には、ネットワーク装置は端末がターゲットＳＲＳリソースセット中で送信する非周期的ＳＲＳに基づき、ターゲットＳＲＳリソースセット中の信号伝送が比較的良いＳＲＳリソースをターゲットＳＲＳリソースとして確定する。
【００８２】
前記ターゲットＳＲＳリソース上でＳＲＳ信号を伝送するために使用されるビームフォーミング重みを、前記伝送待ちのアップリンク信号を伝送するために使用されるビームフォーミング重みとすることによって、端末が伝送待ちのアップリンク信号を伝送するためのビームフォーミング重みを確定する正確度の向上に有利であるとともに、選択したビームフォーミング重みに基づき、アップリンクＣＳＩを取得する。
【００８３】
好ましくは、一実施例として、前記伝送パラメータはプリコーディング行列であり、ステップ２６０は、前記端末が前記ネットワーク装置から送信される第１プリコーディングマトリックスインジケーター（ＰＭＩ）情報を受信するステップと、前記端末が前記ターゲットＳＲＳリソースのアンテナポート数、及び第１ＰＭＩ情報に基づき、アンテナポート数、ＰＭＩ情報及びプリコーディング行列の間のマッピング関係によって、前記伝送待ちのアップリンクデータのプリコーディング行列を確定するステップと、を含む。
【００８４】
好ましくは、一実施例として、前記端末が第１ＳＲＳリソースセットを確定した後、前記方法は、前記端末が前記第１ＳＲＳリソースセット中のＳＲＳリソース上で前記ネットワーク装置にＳＲＳを送信するステップをさらに含む。
【００８５】
具体的には、端末が第１ＳＲＳリソースセット中のＳＲＳリソースによってネットワーク装置にＳＲＳを送信することにより、ネットワーク装置はＳＲＳに基づき、チャネル推定を行い、ターゲットＳＲＳリソースセットを確定する。
【００８６】
好ましくは、一実施例として、前記端末が前記第１ＳＲＳリソースセット中のＳＲＳリソース上でＳＲＳを伝送することは、前記端末が前記第１ＳＲＳリソースセット中のＳＲＳリソース上で、周期的ＳＲＳ又は半永続的ＳＲＳである前記ＳＲＳを伝送するステップを含む。
【００８７】
なお、ビームの全体的な方向はゆっくりと変化するため、端末が第１ＳＲＳリソースセット中のＳＲＳリソース上でＳＲＳを周期的に送信する際に周期ごとに占有する時間は長いようにしてもよく、つまり、端末は第１ＳＲＳリソースセット中のＳＲＳリソース上でＳＲＳを頻繁に送信する必要がなく、より低いリソースオーバーヘッドでターゲットＳＲＳリソースセットの選択を実現できる。
【００８８】
好ましくは、一実施例として、前記端末が前記第１ＳＲＳリソースセット中のＳＲＳリソース上で前記ネットワーク装置にＳＲＳを送信することは、前記端末が前記第１ＳＲＳリソースセット中のＳＲＳリソースの一部のアンテナポート上で前記ネットワーク装置に前記ＳＲＳを送信するステップを含む。
【００８９】
例えば、端末は前記第１ＳＲＳリソースセット中のＳＲＳリソースの１つのアンテナポートのみを使用してＳＲＳを伝送する。
【００９０】
第１ＳＲＳリソースセット中のＳＲＳリソースの一部のアンテナポート上でＳＲＳを伝送することにより、ＳＲＳ伝送のリソースオーバーヘッドを低減させる。
【００９１】
好ましくは、一実施例として、前記端末が第１サウンディング参照信号（ＳＲＳ）リソースセットを確定することは、前記端末が前記ネットワーク装置から送信される設定情報であって、前記端末に前記第１ＳＲＳリソースセットを設定するための設定情報を受信するステップを含む。
【００９２】
好ましくは、一実施例として、前記設定情報は上位層シグナリング又は媒体アクセス制御ＭＡＣ層シグナリングに搬送される。
【００９３】
図３は本願の実施例に係るアップリンク信号の伝送パラメータを確定する方法の概略フローチャートである。図３に示される方法は、ステップ３１０〜３６０を含む。
【００９４】
３１０において、ネットワーク装置は端末から送信されるＳＲＳを第１ＳＲＳリソースセット中のＳＲＳリソース上で受信する。
【００９５】
３２０において、前記ネットワーク装置は前記ＳＲＳに基づき、第１指示情報を確定し、前記第１指示情報が前記ターゲットＳＲＳ伝送リソースを確定することに用いられる。
【００９６】
３３０において、前記ネットワーク装置は非周期的ＳＲＳを伝送するように前記端末に指示するための前記第１指示情報を前記端末に送信する。
【００９７】
３４０において、前記ネットワーク装置は前記端末から送信される前記非周期的ＳＲＳをターゲットＳＲＳリソースセット中のＳＲＳリソース上で受信する。
【００９８】
３５０において、前記ネットワーク装置は前記ターゲットＳＲＳリソースに基づき、前記端末が伝送待ちのアップリンク信号を伝送する伝送パラメータを確定する。
【００９９】
３６０において、前記ネットワーク装置は、第２指示情報を前記端末に送信し、前記第２指示情報が、前記ターゲットＳＲＳリソースセット中のターゲットＳＲＳリソースを指示することに用いられ、前記ターゲットＳＲＳリソースが、前記端末が伝送待ちのアップリンク信号を伝送する伝送パラメータを確定することに用いられる。
【０１００】
本願の実施例では、端末はターゲットＳＲＳリソースに基づき、伝送待ちのアップリンク信号を伝送するための伝送パラメータを確定することにより、従来技術ではＳＲＳリソースがＳＲＳを伝送してチャネル状態を推定するためだけに使用されることを回避し、ＳＲＳリソースを合理的に使用してＳＲＳリソースの浪費を回避する。
【０１０１】
さらに、ターゲットＳＲＳリソースセット中のＳＲＳリソース上でＳＲＳを送信してチャネル推定を行い、ターゲットＳＲＳリソースを確定し、ターゲットＳＲＳリソースに基づき、該端末が伝送待ちのアップリンク信号を伝送する伝送パラメータを確定することにより、端末が伝送待ちのアップリンク信号を伝送するための伝送パラメータを確定する正確性の向上に有利である。
【０１０２】
好ましくは、一実施例として、前記第１指示情報は前記ターゲットＳＲＳリソースセットを指示するために用いられ、前記ターゲットＳＲＳリソースセットは前記第１ＳＲＳリソースセットのサブセットである。
【０１０３】
好ましくは、一実施例として、前記第１指示情報は、前記第１ＳＲＳリソースセット中の第１ＳＲＳリソースを指示するために用いられ、前記第１ＳＲＳリソースセット中のＳＲＳリソースは１つの第２ＳＲＳリソースセットに対応し、前記第１ＳＲＳリソースに対応する第２ＳＲＳリソースセットは前記ターゲットＳＲＳリソースセットである。
【０１０４】
好ましくは、一実施例として、前記第１ＳＲＳリソースセット中の異なるＳＲＳリソースは、異なる第２ＳＲＳリソースセットに対応する。
【０１０５】
好ましくは、一実施例として、前記第１指示情報は、前記第１ＳＲＳリソースセット中の第２ＳＲＳリソースを指示するために用いられ、前記第１ＳＲＳリソースセット中の前記第２ＳＲＳリソースのインデックスは１つのインデックスセットに対応し、前記第２ＳＲＳリソースに対応するインデックスセット中のインデックスに指示されるＳＲＳリソースによって前記ターゲットＳＲＳリソースセットを形成する。
【０１０６】
好ましくは、一実施例として、前記第１ＳＲＳリソースセット中の異なるＳＲＳリソース上でＳＲＳ信号を伝送するために使用されるビームは異なる。
【０１０７】
好ましくは、一実施例として、前記ターゲットＳＲＳリソースセット中の異なるＳＲＳリソース上でＳＲＳ信号を伝送するために使用されるビームは異なる。
【０１０８】
好ましくは、一実施例として、前記伝送パラメータはビームフォーミング重みであり、前記ターゲットＳＲＳリソース上でＳＲＳ信号を伝送するために使用されるビームフォーミング重みを、前記伝送待ちのアップリンク信号を伝送するために使用されるビームフォーミング重みとする。
【０１０９】
好ましくは、一実施例として、前記伝送パラメータはプリコーディング行列であり、前記方法は、前記ネットワーク装置が前記端末に第１プリコーディングマトリックスインジケーター（ＰＭＩ）情報を送信し、前記第１プリコーディングマトリックスインジケーター（ＰＭＩ）情報及び前記ターゲットＳＲＳリソースのアンテナポート数に基づき、アンテナポート数、ＰＭＩ情報及びプリコーディング行列の間のマッピング関係によって、前記伝送待ちのアップリンクデータのプリコーディング行列を指示するステップをさらに含む。
【０１１０】
好ましくは、一実施例として、前記ネットワーク装置が前記端末から送信されるＳＲＳを第１ＳＲＳリソースセット中のＳＲＳリソース上で受信することは、前記ネットワーク装置が前記端末から送信される周期的ＳＲＳ又は半永続的ＳＲＳである前記ＳＲＳを前記第１ＳＲＳリソースセット中のＳＲＳリソース上で受信するステップを含む。
【０１１１】
好ましくは、一実施例として、前記ネットワーク装置が前記端末から送信される前記ＳＲＳを前記第１ＳＲＳリソースセット中のＳＲＳリソース上で受信することは、前記ネットワーク装置が前記端末から送信される前記ＳＲＳを前記第１ＳＲＳリソースセット中のＳＲＳリソースの一部のアンテナポート上で受信するステップを含む。
【０１１２】
好ましくは、一実施例として、前記方法は、前記ネットワーク装置が前記端末に前記第１ＳＲＳリソースセットを設定するための設定情報を、前記端末に送信するステップをさらに含む。
【０１１３】
好ましくは、一実施例として、前記設定情報は上位層シグナリング又は媒体アクセス制御ＭＡＣ層シグナリングに搬送される。
【０１１４】
好ましくは、一実施例として、前記ネットワーク装置が第２指示情報を前記端末に送信することは、前記ネットワーク装置が、前記伝送待ちのアップリンクデータをスケジューリングするためのダウンリンク制御情報（ＤＣＩ）であって、前記第２指示情報を含むＤＣＩを前記端末に送信するステップを含む。
【０１１５】
以上、図１〜図３を参照しながら本願の実施例に係るアップリンク信号の伝送パラメータを確定する方法を詳細に説明したが、以下、図４〜図７を参照しながら本願の実施例に係る端末及びネットワーク装置を詳細に説明する。なお、図４〜図７に示される装置は図２及び図３中の各ステップを実現でき、重複を回避するために、ここで詳細説明を省略する。
【０１１６】
図４は本願の実施例に係る端末の概略ブロック図である。図４に示される端末４００は、確定ユニット４１０、受信ユニット４２０及び送信ユニット４３０を備える。
【０１１７】
確定ユニットは、第１サウンディング参照信号（ＳＲＳ）リソースセットを確定するように構成され、
受信ユニットは、ネットワーク装置から送信される第１指示情報であって、非周期的ＳＲＳを伝送するように前記端末に指示するための第１指示情報を受信するように構成され、
前記確定ユニットはさらに、前記第１指示情報及び前記第１ＳＲＳリソースセットに基づき、ターゲットＳＲＳリソースセットを確定するように構成され、
送信ユニットは、前記ターゲットＳＲＳリソースセット中のＳＲＳリソース上で前記ネットワーク装置に前記非周期的ＳＲＳを送信するように構成され、
前記受信ユニットはさらに、前記ネットワーク装置から送信される第２指示情報であって、前記ターゲットＳＲＳリソースセット中のターゲットＳＲＳリソースを指示するための第２指示情報を受信するように構成され、
前記確定ユニットはさらに、前記ターゲットＳＲＳリソースに基づき、伝送待ちのアップリンク信号を伝送するための伝送パラメータを確定するように構成される。
【０１１８】
好ましくは、一実施例として、前記第１指示情報は前記ターゲットＳＲＳリソースセットを指示するために用いられ、前記確定ユニットは具体的には、前記第１指示情報に基づき、前記第１ＳＲＳリソースセットから、前記第１ＳＲＳリソースセットのサブセットである前記ターゲットＳＲＳリソースセットを確定するように構成される。
【０１１９】
好ましくは、一実施例として、前記第１指示情報は、前記第１ＳＲＳリソースセット中の第１ＳＲＳリソースを指示するために用いられ、前記確定ユニットは具体的には、前記第１指示情報に基づき、前記第１ＳＲＳリソースセットから前記第１ＳＲＳリソースを確定し、前記第１ＳＲＳリソース及び前記第１ＳＲＳリソースセット中の各ＳＲＳリソースと第２ＳＲＳリソースセットとの対応関係に基づき、前記第１ＳＲＳリソースに対応する第２ＳＲＳリソースセットを前記ターゲットリソースセットとして確定するように構成される。
【０１２０】
好ましくは、一実施例として、前記第１ＳＲＳリソースセット中の異なるＳＲＳリソースは、異なる第２ＳＲＳリソースセットに対応する。
【０１２１】
好ましくは、一実施例として、前記第１指示情報は、前記第１ＳＲＳリソースセット中の第２ＳＲＳリソースを指示するために用いられ、前記確定ユニットは具体的には、前記第１指示情報及び前記第１ＳＲＳリソースセットに基づき、前記第１ＳＲＳリソースセット中の前記第２ＳＲＳリソースのインデックスを確定し、前記第１ＳＲＳリソースセット中の前記第２ＳＲＳリソースのインデックス、及び第１ＳＲＳリソースセット中のＳＲＳリソースのインデックスとインデックスセットとの対応関係に基づき、前記第２ＳＲＳリソースに対応するインデックスセットを確定し、前記第２ＳＲＳリソースに対応するインデックスセット中のインデックスに指示されるＳＲＳリソースによって、前記ターゲットＳＲＳリソースセットを形成することを確定するように構成される。
【０１２２】
好ましくは、一実施例として、前記第１ＳＲＳリソースセット中の異なるＳＲＳリソース上でＳＲＳ信号を伝送するために使用されるビームは異なる。
【０１２３】
好ましくは、一実施例として、前記ターゲットＳＲＳリソースセット中の異なるＳＲＳリソース上でＳＲＳ信号を伝送するために使用されるビームは異なる。
【０１２４】
好ましくは、一実施例として、前記伝送パラメータはビームフォーミング重みであり、前記確定ユニットは具体的には、前記ターゲットＳＲＳリソース上でＳＲＳ信号を伝送するために使用されるビームフォーミング重みを、前記伝送待ちのアップリンク信号を伝送するために使用されるビームフォーミング重みとするように構成される。
【０１２５】
好ましくは、一実施例として、前記伝送パラメータはプリコーディング行列であり、前記確定ユニットは具体的には、前記ネットワーク装置から送信される第１プリコーディングマトリックスインジケーター（ＰＭＩ）情報を受信し、前記ターゲットＳＲＳリソースのアンテナポート数、及び第１ＰＭＩ情報に基づき、アンテナポート数、ＰＭＩ情報及びプリコーディング行列の間のマッピング関係によって、前記伝送待ちのアップリンクデータのプリコーディング行列を確定するように構成される。
【０１２６】
好ましくは、一実施例として、前記送信ユニットはさらに、前記第１ＳＲＳリソースセット中のＳＲＳリソース上で前記ネットワーク装置にＳＲＳを送信するように構成される。
【０１２７】
好ましくは、一実施例として、前記送信ユニットは具体的には、さらに、前記第１ＳＲＳリソースセット中のＳＲＳリソース上で、周期的ＳＲＳ又は半永続的ＳＲＳである前記ＳＲＳを伝送するように構成される。
【０１２８】
好ましくは、一実施例として、前記送信ユニットは具体的には、さらに、前記第１ＳＲＳリソースセット中のＳＲＳリソースの一部のアンテナポート上で前記ネットワーク装置に前記ＳＲＳを送信するように構成される。
【０１２９】
好ましくは、一実施例として、前記確定ユニットはさらに、前記ネットワーク装置から送信される設定情報であって、前記端末に前記第１ＳＲＳリソースセットを設定するための設定情報を受信するように構成される。
【０１３０】
好ましくは、一実施例として、前記設定情報は上位層シグナリング又は媒体アクセス制御ＭＡＣ層シグナリングに搬送される。
【０１３１】
好ましくは、一実施例として、前記受信ユニットはさらに、前記ネットワーク装置から送信される、前記伝送待ちのアップリンクデータをスケジューリングするためのダウンリンク制御情報（ＤＣＩ）であって、前記第２指示情報を含むＤＣＩを受信するように構成される。
【０１３２】
好ましい実施例では、前記確定ユニット４１０はプロセッサ５２０、前記受信ユニット４２０及び前記送信ユニット４３０は通信インタフェース５４０であってもよく、前記端末は入力／出力インタフェース５３０及びメモリ５１０をさらに備えてもよく、具体的には図５に示される。
【０１３３】
図５は本願の別の実施例に係る端末の概略ブロック図である。図５に示される端末５００は、メモリ５１０、プロセッサ５２０、入力／出力インタフェース５３０、及び通信インタフェース５４０を備える。メモリ５１０、プロセッサ５２０、入力／出力インタフェース５３０及び通信インタフェース５４０は内部接続通路を介して接続され、該メモリ５１０は命令を記憶し、該プロセッサ５２０は該メモリ５２０に記憶された命令を実行して、入力／出力インタフェース５３０が入力されたデータ及び情報を受信し、操作結果等のデータを出力するように制御し、且つ通信インタフェース５５０が信号を送信するように制御する。
【０１３４】
前記プロセッサは、第１サウンディング参照信号（ＳＲＳ）リソースセットを確定するように構成され、
前記通信インタフェースは、ネットワーク装置から送信される第１指示情報であって、非周期的ＳＲＳを伝送するように前記端末に指示するための第１指示情報を受信し、前記第１指示情報及び前記第１ＳＲＳリソースセットに基づき、ターゲットＳＲＳリソースセットを確定し、前記ターゲットＳＲＳリソースセット中のＳＲＳリソース上で前記ネットワーク装置に前記非周期的ＳＲＳを送信し、前記ネットワーク装置から送信される第２指示情報であって、前記ターゲットＳＲＳリソースセット中のターゲットＳＲＳリソースを指示するための第２指示情報を受信し、
前記プロセッサはさらに、前記ターゲットＳＲＳリソースに基づき、伝送待ちのアップリンク信号を伝送するための伝送パラメータを確定するように構成される。
【０１３５】
なお、本願の実施例では、該プロセッサ５２０は汎用中央処理装置（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は１つ又は複数の集積回路を使用してもよく、関連プログラムを実行して本願の実施例に係る技術案を実現する。
【０１３６】
さらになお、通信インタフェース５４０は例えば送受信機などのような送受信装置を使用して、端末５００とほかの装置又は通信ネットワークとの通信を実現する。
【０１３７】
該メモリ５１０は読み出し専用メモリ及びランダムアクセスメモリを含み、プロセッサ５２０に命令及びデータを提供するようにしてもよい。プロセッサ５２０の一部は不揮発性ランダムアクセスメモリをさらに含んでもよい。例えば、プロセッサ５２０はさらにデバイスタイプの情報を記憶できる。
【０１３８】
実現中、上記方法の各ステップはプロセッサ５２０中のハードウェアの集積論理回路又はソフトウェア形態の命令によって実行できる。本願の実施例を参照して開示されているアップリンク信号の伝送パラメータを確定する方法は直接ハードウェアプロセッサによって実行され、又はプロセッサ中のハードウェア及びソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ５１０に位置し、プロセッサ５２０はメモリ５１０中の情報を読み取り、そのハードウェアと組み合わせて上記方法のステップを実行する。重複を回避するために、ここで詳細説明を省略する。
【０１３９】
図６は本願の実施例に係るネットワーク装置の概略ブロック図である。図６に示されるネットワーク装置６００は、受信ユニット６１０、確定ユニット６２０及び送信ユニット６３０を備える。
【０１４０】
受信ユニットは、端末から送信されるＳＲＳを第１ＳＲＳリソースセット中のＳＲＳリソース上で受信するように構成され、
確定ユニットは、前記ＳＲＳに基づき、前記第１指示情報を確定するように構成され、前記第１指示情報が前記ターゲットＳＲＳ伝送リソースを確定することに用いられ、
送信ユニットは、非周期的ＳＲＳを伝送するように前記端末に指示するための前記第１指示情報を前記端末に送信するように構成され、
前記受信ユニットはさらに、前記端末から送信される前記非周期的ＳＲＳをターゲットＳＲＳリソースセット中のＳＲＳリソース上で受信するように構成され、
前記確定ユニットはさらに、前記ターゲットＳＲＳリソースに基づき、前記端末が伝送待ちのアップリンク信号を伝送する伝送パラメータを確定するように構成され、
前記送信ユニットはさらに、第２指示情報を前記端末に送信するように構成され、前記第２指示情報が、前記ターゲットＳＲＳリソースセット中のターゲットＳＲＳリソースを指示することに用いられ、前記ターゲットＳＲＳリソースが、前記端末が伝送待ちのアップリンク信号を伝送する伝送パラメータを確定することに用いられる。
【０１４１】
好ましくは、一実施例として、前記第１指示情報は前記ターゲットＳＲＳリソースセットを指示するために用いられ、前記ターゲットＳＲＳリソースセットは前記第１ＳＲＳリソースセットのサブセットである。
【０１４２】
好ましくは、一実施例として、前記第１指示情報は、前記第１ＳＲＳリソースセット中の第１ＳＲＳリソースを指示するために用いられ、前記第１ＳＲＳリソースセット中のＳＲＳリソースは１つの第２ＳＲＳリソースセットに対応し、前記第１ＳＲＳリソースに対応する第２ＳＲＳリソースセットは前記ターゲットＳＲＳリソースセットである。
【０１４３】
好ましくは、一実施例として、前記第１指示情報は、前記第１ＳＲＳリソースセット中の第２ＳＲＳリソースを指示するために用いられ、前記第１ＳＲＳリソースセット中の前記第２ＳＲＳリソースのインデックスは１つのインデックスセットに対応し、前記第２ＳＲＳリソースに対応するインデックスセット中のインデックスに指示されるＳＲＳリソースによって前記ターゲットＳＲＳリソースセットを形成する。
【０１４４】
好ましくは、一実施例として、前記第１ＳＲＳリソースセット中の異なるＳＲＳリソース上でＳＲＳ信号を伝送するために使用されるビームは異なる。
【０１４５】
好ましくは、一実施例として、前記ターゲットＳＲＳリソースセット中の異なるＳＲＳリソース上でＳＲＳ信号を伝送するために使用されるビームは異なる。
【０１４６】
好ましくは、一実施例として、前記伝送パラメータはビームフォーミング重みであり、前記ターゲットＳＲＳリソース上でＳＲＳ信号を伝送するために使用されるビームフォーミング重みを、前記伝送待ちのアップリンク信号を伝送するために使用されるビームフォーミング重みとする。
【０１４７】
好ましくは、一実施例として、前記伝送パラメータはプリコーディング行列であり、前記送信ユニットは具体的には、さらに、前記端末に第１プリコーディングマトリックスインジケーター（ＰＭＩ）情報を送信し、前記第１プリコーディングマトリックスインジケーター（ＰＭＩ）情報及び前記ターゲットＳＲＳリソースのアンテナポート数に基づき、アンテナポート数、ＰＭＩ情報及びプリコーディング行列の間のマッピング関係によって、前記伝送待ちのアップリンクデータのプリコーディング行列を指示するように構成される。
【０１４８】
好ましくは、一実施例として、前記受信ユニットは具体的には、さらに、前記端末から送信される周期的ＳＲＳ又は半永続的ＳＲＳである前記ＳＲＳを前記第１ＳＲＳリソースセット中のＳＲＳリソース上で受信するように構成される。
【０１４９】
好ましくは、一実施例として、前記受信ユニットは具体的には、さらに、前記端末から送信される前記ＳＲＳを前記第１ＳＲＳリソースセット中のＳＲＳリソースの一部のアンテナポート上で受信するように構成される。
【０１５０】
好ましくは、一実施例として、前記送信ユニットはさらに、前記端末に前記第１ＳＲＳリソースセットを設定するための設定情報を、前記端末に送信するように構成される。
【０１５１】
好ましい実施例では、前記確定ユニット６２０はプロセッサ７２０、前記受信ユニット６１０及び前記送信ユニット６３０は通信インタフェース７４０であってもよく、前記ネットワーク装置は入力／出力インタフェース７３０及びメモリ７１０をさらに備えてもよく、具体的には図７に示される。
【０１５２】
図７は本願の別の実施例に係るネットワーク装置の概略ブロック図である。図７に示されるネットワーク装置７００は、メモリ７１０、プロセッサ７２０、入力／出力インタフェース７３０、及び通信インタフェース７４０を備える。メモリ７１０、プロセッサ７２０、入力／出力インタフェース７３０及び通信インタフェース７４０は内部接続通路を介して接続され、該メモリ７１０は命令を記憶し、該プロセッサ７２０は該メモリ７２０に記憶された命令を実行して、が入力されたデータ及び情報を受信し、操作結果等のデータを出力するように制御し、且つ通信インタフェース７７０が信号を送信するように制御する。
【０１５３】
前記通信インタフェースは、端末から送信されるＳＲＳを第１ＳＲＳリソースセット中のＳＲＳリソース上で受信するように構成され、
前記プロセッサは、前記ＳＲＳに基づき、前記第１指示情報を確定するように構成され、前記第１指示情報が前記ターゲットＳＲＳ伝送リソースを確定することに用いられ、
前記通信インタフェースはさらに、非周期的ＳＲＳを伝送するように前記端末に指示するための前記第１指示情報を前記端末に送信し、前記端末から送信される前記非周期的ＳＲＳをターゲットＳＲＳリソースセット中のＳＲＳリソース上で受信するように構成され、
前記プロセッサはさらに、前記ターゲットＳＲＳリソースに基づき、前記端末が伝送待ちのアップリンク信号を伝送する伝送パラメータを確定するように構成され、
前記通信インタフェースはさらに、第２指示情報を前記端末に送信するように構成され、前記第２指示情報が、前記ターゲットＳＲＳリソースセット中のターゲットＳＲＳリソースを指示することに用いられ、前記ターゲットＳＲＳリソースが、前記端末が伝送待ちのアップリンク信号を伝送する伝送パラメータを確定することに用いられる。
【０１５４】
なお、本願の実施例では、該プロセッサ７２０は汎用中央処理装置（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は１つ又は複数の集積回路を使用してもよく、関連プログラムを実行して本願の実施例に係る技術案を実現する。
【０１５５】
さらになお、通信インタフェース７４０は例えば送受信機などのような送受信装置を使用して、端末７００とほかの装置又は通信ネットワークとの通信を実現する。
【０１５６】
該メモリ７１０は読み出し専用メモリ及びランダムアクセスメモリを含み、プロセッサ７２０に命令及びデータを提供するようにしてもよい。プロセッサ７２０の一部は不揮発性ランダムアクセスメモリをさらに含んでもよい。例えば、プロセッサ７２０はさらにデバイスタイプの情報を記憶できる。
【０１５７】
実現中、上記方法の各ステップはプロセッサ７２０中のハードウェアの集積論理回路又はソフトウェア形態の命令によって実行できる。本願の実施例を参照して開示されているアップリンク信号の伝送パラメータを確定する方法は直接ハードウェアプロセッサによって実行され、又はプロセッサ中のハードウェア及びソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ７１０に位置し、プロセッサ７２０はメモリ７１０中の情報を読み取り、そのハードウェアと組み合わせて上記方法のステップを実行する。重複を回避するために、ここで詳細説明を省略する。
【０１５８】
なお、本願の実施例では、「Ａに対応するＢ」は、ＢがＡに関連付けられ、Ａに基づき、Ｂを確定することを示す。しかし、Ａに基づき、Ｂを確定することについて、Ａのみに基づき、Ｂを確定することに限らず、Ａ及び／又はほかの情報に基づき、Ｂを確定してもよい。
【０１５９】
なお、本明細書において、用語「及び／又は」は単に関連対象を説明する関連関係であり、３種の関係が存在することを示し、例えば、Ａ及び／又はＢは、Ａのみが存在すること、Ａ及びＢが同時に存在すること、Ｂのみが存在することという３種の状況を含む。また、本明細書において、記号「／」は、一般には前後の関連対象が「又は」の関係を有することを示す。
【０１６０】
なお、本願の各種の実施例では、上記各プロセスの番号は実行順序を示すものではなく、各プロセスの実行順序はその機能及び内部ロジックに応じて確定され、本願の実施例の実施過程を限定するものではない。
【０１６１】
本願により提供されるいくつかの実施例では、開示されているシステム、装置及び方法をほかの形態で実現できると理解すべきである。例えば、以上説明された装置の実施例は単に例示的なものであり、例えば、該ユニットの分割は、単にロジック機能の分割であり、実際の実装では別の分割方式を採用してもよく、例えば複数のユニット又は要素を別のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態としてもよい。
【０１６２】
前記分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分散してもよい。実際の必要に応じて一部又はすべてのユニットを選択して本実施例の技術案の目的を実現することができる。
【０１６３】
また、本願の実施例の各々における各機能ユニットは１つの処理ユニットに集積されてもよく、別々に物理的に存在してもよく、２つ又は２つ以上のユニットは１つのユニットに集積されてもよい。
【０１６４】
上記実施例では、すべて又は一部はソフトウェア、ハードウェア、ファームウェア又はそれらの任意の組合せによって実現できる。ソフトウェアを使用して実現する場合、可以すべて又は一部はコンピュータプログラム製品の形態で実現できる。前記コンピュータプログラム製品は１つ又は複数のコンピュータ命令を含む。コンピュータに前記コンピュータプログラム命令をアップロードして実行する時、本願の実施例に記載のプロセス又は機能のすべて又は一部が発生する。前記コンピュータは汎用コンピュータ、専用コンピュータ、コンピュータネットワーク、又はほかのプログラマブル装置であり得る。前記コンピュータ命令はコンピュータ可読記憶媒体に記憶され、又は１つのコンピュータ可読記憶媒体から別のコンピュータ可読記憶媒体に伝送され、例えば、前記コンピュータ命令は１つのウエブサイト、コンピュータ、サーバ又はデータセンターから有線（例えば、同軸ケーブル、光ファイバ、デジタル加入者線（ＤＳＬ：Ｄｉｇｉｔａｌ  Ｓｕｂｓｃｒｉｂｅｒ  Ｌｉｎｅ））又は無線（例えば赤外線、無線、マイクロ波等）の方式によって別のウエブサイト、コンピュータ、サーバ又はデータセンターに伝送される。前記コンピュータ可読記憶媒体はコンピュータが読み取り可能な任意の利用可能な媒体又は、１つ又は複数の利用可能な媒体を含んで集積したサーバ、データセンター等のデータ記憶デバイスであり得る。前記利用可能な媒体は磁気媒体、（例えば、フロッピーディスク、ハードディスク、テープ）、光学媒体（例えば、デジタルバーサタイルディスク（ＤＶＤ：Ｄｉｇｉｔａｌ  Ｖｉｄｅｏ  Ｄｉｓｃ））又は半導体媒体（例えば、ソリッドステートディスク（ＳＳＤ：Ｓｏｌｉｄ  Ｓｔａｔｅ  Ｄｉｓｋ））等であり得る。
【０１６５】
以上、本願の具体的な実施形態を説明したが、本願の保護範囲を限定するものではなく、当業者が本願に開示される技術範囲を逸脱せずに容易に想到し得る変更や置換はすべて本願の保護範囲に属する。従って、本願の保護範囲は上記特許請求の範囲の保護範囲に準じるべきである。
【図１】
2020520585.tif 000003
【図２】
2020520585.tif 000004
【図３】
2020520585.tif 000005
【図４】
2020520585.tif 000006
【図５】
2020520585.tif 000007
【図６】
2020520585.tif 000008
【図７】
2020520585.tif 000009
【手続補正書】
【提出日】令和2年3月2日(2020.3.2)
【手続補正１】
【補正対象書類名】明細書
【補正対象項目名】全文
【補正方法】変更
【補正の内容】
【発明の詳細な説明】
【技術分野】
【０００１】
本願は通信分野に関し、より具体的には、アップリンク信号の伝送パラメータを確定する方法、端末及びネットワーク装置に関する。
【背景技術】
【０００２】
従来の通信システムでは、非周期的サウンディング参照信号（ＳＲＳ：Ｓｏｕｎｄｉｎｇ  Ｒｅｆｅｒｅｎｃｅ  Ｓｉｇｎａｌ）の伝送メカニズムが導入されており、基地局はダウンリンク制御情報（ＤＣＩ：Ｄｏｗｎｌｉｎｋ  Ｃｏｎｔｒｏｌ  Ｉｎｆｏｒｍａｔｉｏｎ）によって端末をトリガーして非周期的ＳＲＳを伝送させることができる。ＳＲＳを伝送して異なる帯域のアップリンクチャネル品質を推定し、ネットワーク装置が瞬時チャネル状態の比較的良い伝送リソースを端末にアップリンク信号伝送のために割り当てるようにする。
【０００３】
しかしながら、従来の通信システムでは、上記のような非周期的ＳＲＳを伝送するために大量のＳＲＳリソースが設定されており、ＳＲＳがチャネル状態を瞬時に推定するためだけに使用される場合、ある程度では、ＳＲＳリソースの使用の合理性が低下し、ＳＲＳリソース浪費を招いてしまう。
【発明の概要】
【発明が解決しようとする課題】
【０００４】
本願の実施例は、ＳＲＳリソースを合理的に使用してＳＲＳリソースの浪費を減らすアップリンク信号の伝送パラメータを確定する方法、端末及びネットワーク装置を提供する。
【課題を解決するための手段】
【０００５】
第１態様によれば、アップリンク信号の伝送パラメータを確定する方法を提供し、端末は第１サウンディング参照信号（ＳＲＳ）リソースセットを確定するステップと、前記端末はネットワーク装置から送信される第１指示情報であって、非周期的ＳＲＳを伝送するように前記端末に指示するための第１指示情報を受信するステップと、前記端末は前記第１指示情報及び前記第１ＳＲＳリソースセットに基づき、ターゲットＳＲＳリソースセットを確定するステップと、前記端末は前記ターゲットＳＲＳリソースセット中のＳＲＳリソース上で前記ネットワーク装置に前記非周期的ＳＲＳを送信するステップと、前記端末は前記ネットワーク装置から送信される第２指示情報であって、前記ターゲットＳＲＳリソースセット中のターゲットＳＲＳリソースを指示するための第２指示情報を受信するステップと、前記端末は前記ターゲットＳＲＳリソースに基づき、伝送待ちのアップリンク信号を伝送するための伝送パラメータを確定するステップと、を含むことを特徴とする。
【０００６】
本願の実施例では、端末はターゲットＳＲＳリソースに基づき、伝送待ちのアップリンク信号を伝送するための伝送パラメータを確定することにより、従来技術ではＳＲＳリソースがＳＲＳを伝送してチャネル状態を推定するためだけに使用されることを回避し、ＳＲＳリソースを合理的に使用してＳＲＳリソースの浪費を回避する。
【０００７】
さらに、ターゲットＳＲＳリソースセット中のＳＲＳリソース上でＳＲＳを送信してチャネル推定を行い、ターゲットＳＲＳリソースを確定し、ターゲットＳＲＳリソースに基づき、該端末が伝送待ちのアップリンク信号を伝送する伝送パラメータを確定することにより、端末が伝送待ちのアップリンク信号を伝送するための伝送パラメータを確定する正確性の向上に有利である。
【０００８】
第１態様において、いくつかの可能な実施形態では、前記第１指示情報は前記ターゲットＳＲＳリソースセットを指示するために用いられ、前記端末が前記第１指示情報及び前記第１ＳＲＳリソースセットに基づき、ターゲットＳＲＳリソースセットを確定することは、前記端末が前記第１指示情報に基づき、前記第１ＳＲＳリソースセットから、前記第１ＳＲＳリソースセットのサブセットである前記ターゲットＳＲＳリソースセットを確定するステップを含む。
【０００９】
第１態様において、いくつかの可能な実施形態では、前記第１指示情報は、前記第１ＳＲＳリソースセット中の第１ＳＲＳリソースを指示するために用いられ、前記端末が前記第１指示情報及び前記第１ＳＲＳリソースセットに基づき、ターゲットＳＲＳリソースセットを確定することは、前記端末が前記第１指示情報に基づき、前記第１ＳＲＳリソースセットから前記第１ＳＲＳリソースを確定するステップと、前記端末が前記第１ＳＲＳリソース及び前記第１ＳＲＳリソースセット中の各ＳＲＳリソースと第２ＳＲＳリソースセットとの対応関係に基づき、前記第１ＳＲＳリソースに対応する第２ＳＲＳリソースセットを前記ターゲットリソースセットとして確定するステップと、を含む。
【００１０】
第１態様において、いくつかの可能な実施形態では、前記第１ＳＲＳリソースセット中の異なるＳＲＳリソースは、異なる第２ＳＲＳリソースセットに対応する。
【００１１】
第１態様において、いくつかの可能な実施形態では、前記第１指示情報は、前記第１ＳＲＳリソースセット中の第２ＳＲＳリソースを指示するために用いられ、前記端末が前記第１指示情報及び前記第１ＳＲＳリソースセットに基づき、ターゲットＳＲＳリソースセットを確定することは、前記端末が前記第１指示情報及び前記第１ＳＲＳリソースセットに基づき、前記第１ＳＲＳリソースセット中の前記第２ＳＲＳリソースのインデックスを確定するステップと、前記端末が前記第１ＳＲＳリソースセット中の前記第２ＳＲＳリソースのインデックス、及び第１ＳＲＳリソースセット中のＳＲＳリソースのインデックスとインデックスセットとの対応関係に基づき、前記第２ＳＲＳリソースに対応するインデックスセットを確定するステップと、前記端末が前記第２ＳＲＳリソースに対応するインデックスセット中のインデックスに指示されるＳＲＳリソースによって、前記ターゲットＳＲＳリソースセットを形成することを確定するステップと、を含む。
【００１２】
第１態様において、いくつかの可能な実施形態では、前記第１ＳＲＳリソースセット中の異なるＳＲＳリソース上でＳＲＳ信号を伝送するために使用されるビームは異なる。
【００１３】
第１態様において、いくつかの可能な実施形態では、前記ターゲットＳＲＳリソースセット中の異なるＳＲＳリソース上でＳＲＳ信号を伝送するために使用されるビームは異なる。
【００１４】
第１態様において、いくつかの可能な実施形態では、前記伝送パラメータはビームフォーミング重みであり、前記端末が前記ターゲットＳＲＳリソースに基づき、伝送待ちのアップリンク信号を伝送するための伝送パラメータを確定することは、前記端末が前記ターゲットＳＲＳリソース上でＳＲＳ信号を伝送するために使用されるビームフォーミング重みを、前記伝送待ちのアップリンク信号を伝送するために使用されるビームフォーミング重みとするステップを含む。
【００１５】
第１態様において、いくつかの可能な実施形態では、前記伝送パラメータはプリコーディング行列であり、前記端末が前記ターゲットＳＲＳリソースに基づき、伝送待ちのアップリンク信号を伝送するための伝送パラメータを確定することは、前記端末が前記ネットワーク装置から送信される第１プリコーディングマトリックスインジケーター（ＰＭＩ）情報を受信するステップと、前記端末が前記ターゲットＳＲＳリソースのアンテナポート数、及び第１ＰＭＩ情報に基づき、アンテナポート数、ＰＭＩ情報及びプリコーディング行列の間のマッピング関係によって、前記伝送待ちのアップリンク信号のプリコーディング行列を確定するステップと、を含む。
【００１６】
第１態様において、いくつかの可能な実施形態では、前記端末が第１ＳＲＳリソースセットを確定した後、前記方法は、前記端末が前記第１ＳＲＳリソースセット中のＳＲＳリソース上で前記ネットワーク装置にＳＲＳを送信するステップをさらに含む。
【００１７】
第１態様において、いくつかの可能な実施形態では、前記端末が前記第１ＳＲＳリソースセット中のＳＲＳリソース上でＳＲＳを伝送することは、前記端末が前記第１ＳＲＳリソースセット中のＳＲＳリソース上で、周期的ＳＲＳ又は半永続的ＳＲＳである前記ＳＲＳを伝送するステップを含む。
【００１８】
第１態様において、いくつかの可能な実施形態では、前記端末が前記第１ＳＲＳリソースセット中のＳＲＳリソース上で前記ネットワーク装置にＳＲＳを送信することは、前記端末が前記第１ＳＲＳリソースセット中のＳＲＳリソースの一部のアンテナポート上で前記ネットワーク装置に前記ＳＲＳを送信するステップを含む。
【００１９】
第１態様において、いくつかの可能な実施形態では、前記端末が第１サウンディング参照信号（ＳＲＳ）リソースセットを確定することは、前記端末が前記ネットワーク装置から送信される設定情報であって、前記端末に前記第１ＳＲＳリソースセットを設定するための設定情報を受信するステップを含む。
【００２０】
第１態様において、いくつかの可能な実施形態では、前記設定情報は上位層シグナリング又は媒体アクセス制御ＭＡＣ層シグナリングに搬送される。
【００２１】
第１態様において、いくつかの可能な実施形態では、前記端末が前記ネットワーク装置から送信される第２指示情報を受信することは、前記端末は、前記ネットワーク装置から送信される、前記伝送待ちのアップリンク信号をスケジューリングするためのダウンリンク制御情報（ＤＣＩ）であって、前記第２指示情報を含むＤＣＩを受信するステップを含む。
【００２２】
第２態様によれば、アップリンク信号の伝送パラメータを確定する方法を提供し、ネットワーク装置は端末から送信されるＳＲＳを第１ＳＲＳリソースセット中のＳＲＳリソース上で受信するステップと、前記ネットワーク装置は前記ＳＲＳに基づき、第１指示情報を確定するステップであって、前記第１指示情報が前記ターゲットＳＲＳ伝送リソースを確定することに用いられるステップと、前記ネットワーク装置は非周期的ＳＲＳを伝送するように前記端末に指示するための前記第１指示情報を前記端末に送信するステップと、前記ネットワーク装置は前記端末から送信される前記非周期的ＳＲＳをターゲットＳＲＳリソースセット中のＳＲＳリソース上で受信するステップと、前記ネットワーク装置は前記ターゲットＳＲＳリソースに基づき、前記端末が伝送待ちのアップリンク信号を伝送する伝送パラメータを確定するステップと、前記ネットワーク装置が、第２指示情報を前記端末に送信するステップであって、前記第２指示情報が、前記ターゲットＳＲＳリソースセット中のターゲットＳＲＳリソースを指示することに用いられ、前記ターゲットＳＲＳリソースが、前記端末が伝送待ちのアップリンク信号を伝送する伝送パラメータを確定することに用いられる、ステップと、を含む。
【００２３】
本願の実施例では、端末はターゲットＳＲＳリソースに基づき、伝送待ちのアップリンク信号を伝送するための伝送パラメータを確定することにより、従来技術ではＳＲＳリソースがＳＲＳを伝送してチャネル状態を推定するためだけに使用されることを回避し、ＳＲＳリソースを合理的に使用してＳＲＳリソースの浪費を回避する。
【００２４】
さらに、ターゲットＳＲＳリソースセット中のＳＲＳリソース上でＳＲＳを送信してチャネル推定を行い、ターゲットＳＲＳリソースを確定し、ターゲットＳＲＳリソースに基づき、該端末が伝送待ちのアップリンク信号を伝送する伝送パラメータを確定することにより、端末が伝送待ちのアップリンク信号を伝送するための伝送パラメータを確定する正確性の向上に有利である。
【００２５】
第２態様において、いくつかの可能な実施形態では、前記第１指示情報は前記ターゲットＳＲＳリソースセットを指示するために用いられ、前記ターゲットＳＲＳリソースセットは前記第１ＳＲＳリソースセットのサブセットである。
【００２６】
第２態様において、いくつかの可能な実施形態では、前記第１指示情報は、前記第１ＳＲＳリソースセット中の第１ＳＲＳリソースを指示するために用いられ、前記第１ＳＲＳリソースセット中のＳＲＳリソースは１つの第２ＳＲＳリソースセットに対応し、前記第１ＳＲＳリソースに対応する第２ＳＲＳリソースセットは前記ターゲットＳＲＳリソースセットである。
【００２７】
第２態様において、いくつかの可能な実施形態では、前記第１指示情報は、前記第１ＳＲＳリソースセット中の第２ＳＲＳリソースを指示するために用いられ、前記第１ＳＲＳリソースセット中の前記第２ＳＲＳリソースのインデックスは１つのインデックスセットに対応し、前記第２ＳＲＳリソースに対応するインデックスセット中のインデックスに指示されるＳＲＳリソースによって前記ターゲットＳＲＳリソースセットを形成する。
【００２８】
第２態様において、いくつかの可能な実施形態では、前記第１ＳＲＳリソースセット中の異なるＳＲＳリソース上でＳＲＳ信号を伝送するために使用されるビームは異なる。
【００２９】
第２態様において、いくつかの可能な実施形態では、前記ターゲットＳＲＳリソースセット中の異なるＳＲＳリソース上でＳＲＳ信号を伝送するために使用されるビームは異なる。
【００３０】
第２態様において、いくつかの可能な実施形態では、前記伝送パラメータはビームフォーミング重みであり、前記ターゲットＳＲＳリソース上でＳＲＳ信号を伝送するために使用されるビームフォーミング重みを、前記伝送待ちのアップリンク信号を伝送するために使用されるビームフォーミング重みとする。
【００３１】
第２態様において、いくつかの可能な実施形態では、前記伝送パラメータはプリコーディング行列であり、前記方法は、前記ネットワーク装置は前記端末に第１プリコーディングマトリックスインジケーター（ＰＭＩ）情報を送信し、前記第１プリコーディングマトリックスインジケーター（ＰＭＩ）情報及び前記ターゲットＳＲＳリソースのアンテナポート数に基づき、アンテナポート数、ＰＭＩ情報及びプリコーディング行列の間のマッピング関係によって、前記伝送待ちのアップリンク信号のプリコーディング行列を指示するステップをさらに含む。
【００３２】
第２態様において、いくつかの可能な実施形態では、前記ネットワーク装置が前記端末から送信されるＳＲＳを第１ＳＲＳリソースセット中のＳＲＳリソース上で受信することは、前記ネットワーク装置が前記端末から送信される周期的ＳＲＳ又は半永続的ＳＲＳである前記ＳＲＳを前記第１ＳＲＳリソースセット中のＳＲＳリソース上で受信するステップを含む。
【００３３】
第２態様において、いくつかの可能な実施形態では、前記ネットワーク装置が前記端末から送信される前記ＳＲＳを前記第１ＳＲＳリソースセット中のＳＲＳリソース上で受信することは、前記ネットワーク装置が前記端末から送信される前記ＳＲＳを前記第１ＳＲＳリソースセット中のＳＲＳリソースの一部のアンテナポート上で受信するステップを含む。
【００３４】
第２態様において、いくつかの可能な実施形態では、前記方法は、前記ネットワーク装置が前記端末に前記第１ＳＲＳリソースセットを設定するための設定情報を、前記端末に送信するステップをさらに含む。
【００３５】
第３態様によれば、第１態様における方法を実行するためのユニットを備える端末を提供する。
【００３６】
第４態様によれば、第２態様における方法を実行するためのユニットを備えるネットワーク装置を提供する。
【００３７】
第５態様によれば、端末を提供し、メモリ、プロセッサ、入力／出力インタフェース及び通信インタフェースを備える。メモリ、プロセッサ、入力／出力インタフェース及び通信インタフェースが通信接続され、該メモリは命令を記憶し、該プロセッサは該メモリに記憶された命令を実行し、前記命令が実行されると、前記プロセッサは前記通信インタフェースによって第１態様における方法を実行し、入力／出力インタフェースが入力されたデータ及び情報を受信し、操作結果等のデータを出力するように制御する。
【００３８】
第６態様によれば、ネットワーク装置を提供し、メモリ、プロセッサ、入力／出力インタフェース及び通信インタフェースを備える。メモリ、プロセッサ、入力／出力インタフェース及び通信インタフェースが通信接続され、該メモリは命令を記憶し、該プロセッサは該メモリに記憶された命令を実行し、前記命令が実行されると、前記プロセッサは前記通信インタフェースによって第２態様における方法を実行し、入力／出力インタフェースが入力されたデータ及び情報を受信し、操作結果等のデータを出力するように制御する。
【００３９】
第７態様によれば、コンピュータ可読媒体を提供し、前記コンピュータ可読媒体は端末装置によって実行されるプログラムコードを記憶し、前記プログラムコードは上記各態様における方法を実行するための命令を含む。
【００４０】
第８態様によれば、命令を含むコンピュータプログラム製品を提供し、コンピュータによって実行されると、コンピュータに前記各態様に記載の方法を実行させる。
【図面の簡単な説明】
【００４１】
【図１】図１は本願の実施例を適用できる無線通信システム１００である。
【図２】図２は本願の実施例に係るアップリンク信号の伝送パラメータを確定する方法の概略フローチャートである。
【図３】図３は本願の実施例に係るアップリンク信号の伝送パラメータを確定する方法の概略フローチャートである。
【図４】図４は本願の実施例に係る端末の概略ブロック図である。
【図５】図５は本願の別の実施例に係る端末の概略ブロック図である。
【図６】図６は本願の実施例に係るネットワーク装置の概略ブロック図である。
【図７】図７は本願の別の実施例に係る端末の概略ブロック図である。
【発明を実施するための形態】
【００４２】
以下、図面を参照しながら本願の技術案を説明する。
【００４３】
図１は本願の実施例を適用できる無線通信システム１００である。該無線通信システム１００はネットワーク装置１１０を備える。ネットワーク装置１１０は端末装置と通信する装置であり得る。ネットワーク装置１１０は特定の地理的エリアに通信カバレッジを提供でき、且つ該カバレッジエリア内に位置する端末装置と通信できる。
【００４４】
図１は１つのネットワーク装置及び２つの端末を例示的に示しているが、該無線通信システム１００は複数のネットワーク装置を備え、且つ各ネットワーク装置のカバレッジエリア内にほかの数の端末を備えるようにしてもよく、本願の実施例ではそれを限定しない。
【００４５】
該無線通信システム１００はネットワークコントローラ、モバイル管理エンティティ等のようなほかのネットワークエンティティをさらに備えてもよく、本願の実施例ではそれを限定しない。
【００４６】
なお、本願の技術案は、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、発展型ロングタームエボリューション（ＬＴＥ−Ａ：Ａｄｖａｎｃｅｄ  ｌｏｎｇ  ｔｅｒｍ  ｅｖｏｌｕｔｉｏｎ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、新しい無線アクセス技術（ＮＲ：Ｎｅｗ  Ｒａｄｉｏ  Ａｃｃｅｓｓ  Ｔｅｃｈｎｏｌｏｇｙ）、５Ｇ等のような種々の通信システムに適用できる。
【００４７】
さらになお、本願の実施例では、端末装置は、移動局（ＭＳ：Ｍｏｂｉｌｅ  Ｓｔａｔｉｏｎ）、モバイル端末（Ｍｏｂｉｌｅ  Ｔｅｒｍｉｎａｌ）、携帯電話（Ｍｏｂｉｌｅ  Ｔｅｌｅｐｈｏｎｅ）、ユーザー装置（ＵＥ：Ｕｓｅｒ  Ｅｑｕｉｐｍｅｎｔ）、ハンドセット（ｈａｎｄｓｅｔ）及びポータブル装置（ｐｏｒｔａｂｌｅ  ｅｑｕｉｐｍｅｎｔ）等を含むが、それらに限定されず、該端末装置は無線アクセスネットワーク（ＲＡＮ：Ｒａｄｉｏ  Ａｃｃｅｓｓ  Ｎｅｔｗｏｒｋ）を介して１つ又は複数のコアネットワークと通信可能であり、例えば、端末装置は携帯電話（又は、「セルラー」電話と呼称される）、無線通信機能を有するコンピュータ等であってもよく、端末装置はポータブル式、ポケット式、手持ち式、コンピュータ内蔵型又は車載型のモバイル装置であってもよい。
【００４８】
本願の実施例では、ネットワーク装置は、例えば基地局、送受信ポイント（ＴＲＰ：Ｔｒａｎｓｍｉｔ  ａｎｄ  Ｒｅｃｅｉｖｅ  Ｐｏｉｎｔ）又はアクセスポイントのようなアクセスネットワーク装置であってもよく、基地局はＧＳＭ又はＣＤＭＡ中の基地局（ＢＴＳ：Ｂａｓｅ  Ｔｒａｎｓｃｅｉｖｅｒ  Ｓｔａｔｉｏｎ）であってもよく、ＷＣＤＭＡ中の基地局（ＮｏｄｅＢ）であってもよく、ＬＴＥ中の発展型基地局（ｅＮＢ又はｅ−ＮｏｄｅＢ：ｅｖｏｌｖｅｄ  Ｎｏｄｅ  Ｂ）であってもよく、ＮＲ又は５Ｇの基地局（ｇＮＢ）であってもよく、本願の実施例ではそれを特に限定しない。
【００４９】
５Ｇ通信システムにおいて、ＳＲＳは周期的ＳＲＳ及び半永続的ＳＲＳを含み、周期的ＳＲＳは周期的ＳＲＳリソース上で連続的に伝送することができ、半永続的ＳＲＳはアクティブ化及び非アクティブ化シグナリングによって端末によるＳＲＳの周期的伝送の開始又は停止を制御することができる。
【００５０】
ＳＲＳはチャネル状態情報（ＣＳＩ：Ｃｈａｎｎｅｌ  Ｓｔａｔｅ  Ｉｎｆｏｒｍａｔｉｏｎ）を取得するために使用され、さらにビーム管理に使用される。つまり、端末は異なるビームを使用して異なるＳＲＳリソース上でＳＲＳ信号を伝送することができ、ネットワーク装置は上記ＳＲＳを検出して、受信品質が比較的良いＳＲＳに使用されるＳＲＳリソースを確定し且つ端末に指示し、端末は該ＳＲＳ信号に使用されるビームを後続のアップリンク信号の伝送に使用できる。
【００５１】
アップリンク信号を伝送する「最適ビーム」を得るために、端末は複数の異なるビームを使用してＳＲＳを伝送する必要があり、従って、大量のＳＲＳリソースを設定する必要がある。如何に上記ＳＲＳリソースを合理的に使用してアップリンク信号の伝送パラメータ（例えば、ビームフォーミング重み）を効率的かつ正確に選択するか。
【００５２】
図２は本願の実施例に係るアップリンク信号の伝送パラメータを確定する方法の概略フローチャートである。図２に示される方法は、ステップ２１０〜２６０を含む。
【００５３】
２１０において、端末は第１サウンディング参照信号（ＳＲＳ）リソースセットを確定する。
【００５４】
上記第１ＳＲＳリソースセットは少なくとも１つのＳＲＳリソースを含み、該ＳＲＳリソースはＳＲＳを伝送するための伝送リソースであってもよい。
【００５５】
前記第１ＳＲＳリソースセット中の異なるＳＲＳリソース上でＳＲＳ信号を伝送するために使用されるビームは異なる。
【００５６】
２２０において、前記端末はネットワーク装置から送信される第１指示情報であって、非周期的ＳＲＳを伝送するように前記端末に指示するための第１指示情報を受信する。
【００５７】
上記非周期的ＳＲＳ（Ａｐｅｒｉｏｄｉｃ  ＳＲＳ）とは、非周期的に伝送されるＳＲＳであってもよい。
【００５８】
上記第１指示情報は、端末が非周期的ＳＲＳを伝送することをトリガーするトリガー命令としてもよい。
【００５９】
２３０において、前記端末は前記第１指示情報及び前記第１ＳＲＳリソースセットに基づき、ターゲットＳＲＳリソースセットを確定する。
【００６０】
前記ターゲットＳＲＳリソースセット中の異なるＳＲＳリソース上でＳＲＳ信号を伝送するために使用されるビームは異なる。
【００６１】
ターゲットＳＲＳリソースセット中の異なるＳＲＳリソース上で異なるビームフォーミング重みを使用してＳＲＳを送信する。
【００６２】
一実施例として、前記第１指示情報は前記ターゲットＳＲＳリソースセットを指示するために用いられ、ステップ２３０は、前記端末が前記第１指示情報に基づき、前記第１ＳＲＳリソースセットから、前記第１ＳＲＳリソースセットのサブセットである前記ターゲットＳＲＳリソースセットを確定するステップを含む。
【００６３】
前記端末が前記第１指示情報に基づき、前記第１ＳＲＳリソースセットから前記ターゲットＳＲＳリソースセットを確定するとは、端末が第１指示情報により指示されるターゲットＳＲＳリソースセットに基づき、第１ＳＲＳリソースセットからターゲットＳＲＳリソースセットに属する伝送リソースを選択することであってもよい。
【００６４】
例えば、第１指示情報はビットマップ（ｂｉｔｍａｐ）の方式によってターゲットＳＲＳリソースセットを指示する。ここで、ビットマップ中の各ビットは１つのＳＲＳリソースに対応し、又はビットマップ中の各ビットは１つのＳＲＳリソース領域に対応する。
【００６５】
また、例えば、第１指示情報は第１ＳＲＳリソースセット中のＳＲＳリソースのインデックスの方式によってターゲットＳＲＳリソースセットを指示する。
【００６６】
一実施例として、前記第１指示情報は、前記第１ＳＲＳリソースセット中の第１ＳＲＳリソースを指示するために用いられ、ステップ２３０は、前記端末が前記第１指示情報に基づき、前記第１ＳＲＳリソースセットから前記第１ＳＲＳリソースを確定するステップと、前記端末が前記第１ＳＲＳリソース及び前記第１ＳＲＳリソースセット中の各ＳＲＳリソースと第２ＳＲＳリソースセットとの対応関係に基づき、前記第１ＳＲＳリソースに対応する第２ＳＲＳリソースセットを前記ターゲットリソースセットとして確定するステップと、を含む。
【００６７】
前記第１ＳＲＳリソースセット中の異なるＳＲＳリソースは、異なる第２ＳＲＳリソースセットに対応する。
【００６８】
例えば、ワイドビームによって第１ＳＲＳリソースセットのＳＲＳリソース上でＳＲＳを送信し、ネットワーク装置は第１ＳＲＳリソースセット中のＳＲＳリソース上で送信されるＳＲＳに基づき、ＳＲＳ伝送品質が比較的良いワイドビームを第１ＳＲＳリソースとして選択し、端末は該ワイドビームに基づき、該ワイドビームと方向が同じ少なくとも１つのナロービームに対応するＳＲＳリソースを第２ＳＲＳリソースセット中の伝送リソースとして確定する。
【００６９】
一実施例として、前記第１指示情報は、前記第１ＳＲＳリソースセット中の第２ＳＲＳリソースを指示するために用いられ、ステップ２３０は、前記端末が前記第１指示情報及び前記第１ＳＲＳリソースセットに基づき、前記第１ＳＲＳリソースセット中の前記第２ＳＲＳリソースのインデックスを確定するステップと、前記端末が前記第１ＳＲＳリソースセット中の前記第２ＳＲＳリソースのインデックス、及び第１ＳＲＳリソースセット中のＳＲＳリソースのインデックスとインデックスセットとの対応関係に基づき、前記第２ＳＲＳリソースに対応するインデックスセットを確定するステップと、前記端末が前記第２ＳＲＳリソースに対応するインデックスセット中のインデックスに指示されるＳＲＳリソースによって、前記ターゲットＳＲＳリソースセットを形成することを確定するステップと、を含む。
【００７０】
例えば、第１ＳＲＳリソースセット中の第１ＳＲＳリソースのインデックスをｋとし、且つ該インデックスｋに対応するインデックスセットを｛ｋ，ｋ＋１，ｋ＋２，ｋ＋３｝とする場合、端末はインデックスセット中の各インデックスに基づき、第２ＳＲＳリソースセット中のＳＲＳリソースを確定する。
【００７１】
なお、第１ＳＲＳリソースセット中のＳＲＳリソースのインデックスとインデックスセットとの対応関係は、ネットワーク装置によって端末のために予め設定されてもよく、ネットワーク装置と端末によって通信プロトコルをもって予め定められてもよく、本願の実施例ではそれを限定しない。
【００７２】
２４０において、前記端末は前記ターゲットＳＲＳリソースセット中のＳＲＳリソース上で前記ネットワーク装置に前記非周期的ＳＲＳを送信する。
【００７３】
２５０において、前記端末は前記ネットワーク装置から送信される第２指示情報であって、前記ターゲットＳＲＳリソースセット中のターゲットＳＲＳリソースを指示するための第２指示情報を受信する。
【００７４】
ネットワーク装置は端末がターゲットＳＲＳリソースセット中で送信する非周期的ＳＲＳに基づき、ターゲットＳＲＳリソースセット中の信号伝送が比較的良いＳＲＳリソースをターゲットＳＲＳリソースとして確定し、第２指示情報によって端末に指示する。
【００７５】
一実施例として、前記端末が前記ネットワーク装置から送信される第２指示情報を受信することは、前記端末が前記ネットワーク装置から送信される、前記伝送待ちのアップリンク信号をスケジューリングするためのダウンリンク制御情報（ＤＣＩ）であって、前記第２指示情報を含むＤＣＩを受信するステップを含む。
【００７６】
２６０において、前記端末は前記ターゲットＳＲＳリソースに基づき、伝送待ちのアップリンク信号を伝送するための伝送パラメータを確定する。
【００７７】
なお、上記伝送パラメータは、ビームフォーミング重み、プリコーディング指示情報、アップリンク信号の伝送に使用されるアンテナパネル（Ａｎｔｅｎｎａ  Ｐａｎｅｌ）、アップリンク信号の伝送に使用されるアンテナポート、アップリンク伝送の層数、アップリンク伝送に使用される変調符号化方式等のうち少なくとも１種を含んでもよく、本願の実施例ではそれを特に限定しない。
【００７８】
本願の実施例では、端末はターゲットＳＲＳリソースに基づき、伝送待ちのアップリンク信号を伝送するための伝送パラメータを確定することにより、従来技術ではＳＲＳリソースがＳＲＳを伝送してチャネル状態を推定するためだけに使用されることを回避し、ＳＲＳリソースを合理的に使用してＳＲＳリソースの浪費を回避する。
【００７９】
さらに、ターゲットＳＲＳリソースセット中のＳＲＳリソース上でＳＲＳを送信してチャネル推定を行い、ターゲットＳＲＳリソースを確定し、ターゲットＳＲＳリソースに基づき、該端末が伝送待ちのアップリンク信号を伝送する伝送パラメータを確定することにより、端末が伝送待ちのアップリンク信号を伝送するための伝送パラメータを確定する正確性の向上に有利である。
【００８０】
一実施例として、前記伝送パラメータはビームフォーミング重みであり、ステップ２６０は、前記端末が前記ターゲットＳＲＳリソース上でＳＲＳ信号を伝送するために使用されるビームフォーミング重みを、前記伝送待ちのアップリンク信号を伝送するために使用されるビームフォーミング重みとするステップを含む。
【００８１】
ネットワーク装置は端末がターゲットＳＲＳリソースセット中で送信する非周期的ＳＲＳに基づき、ターゲットＳＲＳリソースセット中の信号伝送が比較的良いＳＲＳリソースをターゲットＳＲＳリソースとして確定する。
【００８２】
前記ターゲットＳＲＳリソース上でＳＲＳ信号を伝送するために使用されるビームフォーミング重みを、前記伝送待ちのアップリンク信号を伝送するために使用されるビームフォーミング重みとすることによって、端末が伝送待ちのアップリンク信号を伝送するためのビームフォーミング重みを確定する正確度の向上に有利であるとともに、選択したビームフォーミング重みに基づき、アップリンクＣＳＩを取得する。
【００８３】
一実施例として、前記伝送パラメータはプリコーディング行列であり、ステップ２６０は、前記端末が前記ネットワーク装置から送信される第１プリコーディングマトリックスインジケーター（ＰＭＩ）情報を受信するステップと、前記端末が前記ターゲットＳＲＳリソースのアンテナポート数、及び第１ＰＭＩ情報に基づき、アンテナポート数、ＰＭＩ情報及びプリコーディング行列の間のマッピング関係によって、前記伝送待ちのアップリンク信号のプリコーディング行列を確定するステップと、を含む。
【００８４】
一実施例として、前記端末が第１ＳＲＳリソースセットを確定した後、前記方法は、前記端末が前記第１ＳＲＳリソースセット中のＳＲＳリソース上で前記ネットワーク装置にＳＲＳを送信するステップをさらに含む。
【００８５】
端末が第１ＳＲＳリソースセット中のＳＲＳリソースによってネットワーク装置にＳＲＳを送信することにより、ネットワーク装置はＳＲＳに基づき、チャネル推定を行い、ターゲットＳＲＳリソースセットを確定する。
【００８６】
一実施例として、前記端末が前記第１ＳＲＳリソースセット中のＳＲＳリソース上でＳＲＳを伝送することは、前記端末が前記第１ＳＲＳリソースセット中のＳＲＳリソース上で、周期的ＳＲＳ又は半永続的ＳＲＳである前記ＳＲＳを伝送するステップを含む。
【００８７】
なお、ビームの全体的な方向はゆっくりと変化するため、端末が第１ＳＲＳリソースセット中のＳＲＳリソース上でＳＲＳを周期的に送信する際に周期ごとに占有する時間は長いようにしてもよく、つまり、端末は第１ＳＲＳリソースセット中のＳＲＳリソース上でＳＲＳを頻繁に送信する必要がなく、より低いリソースオーバーヘッドでターゲットＳＲＳリソースセットの選択を実現できる。
【００８８】
一実施例として、前記端末が前記第１ＳＲＳリソースセット中のＳＲＳリソース上で前記ネットワーク装置にＳＲＳを送信することは、前記端末が前記第１ＳＲＳリソースセット中のＳＲＳリソースの一部のアンテナポート上で前記ネットワーク装置に前記ＳＲＳを送信するステップを含む。
【００８９】
例えば、端末は前記第１ＳＲＳリソースセット中のＳＲＳリソースの１つのアンテナポートのみを使用してＳＲＳを伝送する。
【００９０】
第１ＳＲＳリソースセット中のＳＲＳリソースの一部のアンテナポート上でＳＲＳを伝送することにより、ＳＲＳ伝送のリソースオーバーヘッドを低減させる。
【００９１】
一実施例として、前記端末が第１サウンディング参照信号（ＳＲＳ）リソースセットを確定することは、前記端末が前記ネットワーク装置から送信される設定情報であって、前記端末に前記第１ＳＲＳリソースセットを設定するための設定情報を受信するステップを含む。
【００９２】
一実施例として、前記設定情報は上位層シグナリング又は媒体アクセス制御ＭＡＣ層シグナリングに搬送される。
【００９３】
図３は本願の実施例に係るアップリンク信号の伝送パラメータを確定する方法の概略フローチャートである。図３に示される方法は、ステップ３１０〜３６０を含む。
【００９４】
３１０において、ネットワーク装置は端末から送信されるＳＲＳを第１ＳＲＳリソースセット中のＳＲＳリソース上で受信する。
【００９５】
３２０において、前記ネットワーク装置は前記ＳＲＳに基づき、第１指示情報を確定し、前記第１指示情報が前記ターゲットＳＲＳ伝送リソースを確定することに用いられる。
【００９６】
３３０において、前記ネットワーク装置は非周期的ＳＲＳを伝送するように前記端末に指示するための前記第１指示情報を前記端末に送信する。
【００９７】
３４０において、前記ネットワーク装置は前記端末から送信される前記非周期的ＳＲＳをターゲットＳＲＳリソースセット中のＳＲＳリソース上で受信する。
【００９８】
３５０において、前記ネットワーク装置は前記ターゲットＳＲＳリソースに基づき、前記端末が伝送待ちのアップリンク信号を伝送する伝送パラメータを確定する。
【００９９】
３６０において、前記ネットワーク装置は、第２指示情報を前記端末に送信し、前記第２指示情報が、前記ターゲットＳＲＳリソースセット中のターゲットＳＲＳリソースを指示することに用いられ、前記ターゲットＳＲＳリソースが、前記端末が伝送待ちのアップリンク信号を伝送する伝送パラメータを確定することに用いられる。
【０１００】
本願の実施例では、端末はターゲットＳＲＳリソースに基づき、伝送待ちのアップリンク信号を伝送するための伝送パラメータを確定することにより、従来技術ではＳＲＳリソースがＳＲＳを伝送してチャネル状態を推定するためだけに使用されることを回避し、ＳＲＳリソースを合理的に使用してＳＲＳリソースの浪費を回避する。
【０１０１】
さらに、ターゲットＳＲＳリソースセット中のＳＲＳリソース上でＳＲＳを送信してチャネル推定を行い、ターゲットＳＲＳリソースを確定し、ターゲットＳＲＳリソースに基づき、該端末が伝送待ちのアップリンク信号を伝送する伝送パラメータを確定することにより、端末が伝送待ちのアップリンク信号を伝送するための伝送パラメータを確定する正確性の向上に有利である。
【０１０２】
一実施例として、前記第１指示情報は前記ターゲットＳＲＳリソースセットを指示するために用いられ、前記ターゲットＳＲＳリソースセットは前記第１ＳＲＳリソースセットのサブセットである。
【０１０３】
一実施例として、前記第１指示情報は、前記第１ＳＲＳリソースセット中の第１ＳＲＳリソースを指示するために用いられ、前記第１ＳＲＳリソースセット中のＳＲＳリソースは１つの第２ＳＲＳリソースセットに対応し、前記第１ＳＲＳリソースに対応する第２ＳＲＳリソースセットは前記ターゲットＳＲＳリソースセットである。
【０１０４】
一実施例として、前記第１ＳＲＳリソースセット中の異なるＳＲＳリソースは、異なる第２ＳＲＳリソースセットに対応する。
【０１０５】
一実施例として、前記第１指示情報は、前記第１ＳＲＳリソースセット中の第２ＳＲＳリソースを指示するために用いられ、前記第１ＳＲＳリソースセット中の前記第２ＳＲＳリソースのインデックスは１つのインデックスセットに対応し、前記第２ＳＲＳリソースに対応するインデックスセット中のインデックスに指示されるＳＲＳリソースによって前記ターゲットＳＲＳリソースセットを形成する。
【０１０６】
一実施例として、前記第１ＳＲＳリソースセット中の異なるＳＲＳリソース上でＳＲＳ信号を伝送するために使用されるビームは異なる。
【０１０７】
一実施例として、前記ターゲットＳＲＳリソースセット中の異なるＳＲＳリソース上でＳＲＳ信号を伝送するために使用されるビームは異なる。
【０１０８】
一実施例として、前記伝送パラメータはビームフォーミング重みであり、前記ターゲットＳＲＳリソース上でＳＲＳ信号を伝送するために使用されるビームフォーミング重みを、前記伝送待ちのアップリンク信号を伝送するために使用されるビームフォーミング重みとする。
【０１０９】
一実施例として、前記伝送パラメータはプリコーディング行列であり、前記方法は、前記ネットワーク装置が前記端末に第１プリコーディングマトリックスインジケーター（ＰＭＩ）情報を送信し、前記第１プリコーディングマトリックスインジケーター（ＰＭＩ）情報及び前記ターゲットＳＲＳリソースのアンテナポート数に基づき、アンテナポート数、ＰＭＩ情報及びプリコーディング行列の間のマッピング関係によって、前記伝送待ちのアップリンク信号のプリコーディング行列を指示するステップをさらに含む。
【０１１０】
一実施例として、前記ネットワーク装置が前記端末から送信されるＳＲＳを第１ＳＲＳリソースセット中のＳＲＳリソース上で受信することは、前記ネットワーク装置が前記端末から送信される周期的ＳＲＳ又は半永続的ＳＲＳである前記ＳＲＳを前記第１ＳＲＳリソースセット中のＳＲＳリソース上で受信するステップを含む。
【０１１１】
一実施例として、前記ネットワーク装置が前記端末から送信される前記ＳＲＳを前記第１ＳＲＳリソースセット中のＳＲＳリソース上で受信することは、前記ネットワーク装置が前記端末から送信される前記ＳＲＳを前記第１ＳＲＳリソースセット中のＳＲＳリソースの一部のアンテナポート上で受信するステップを含む。
【０１１２】
一実施例として、前記方法は、前記ネットワーク装置が前記端末に前記第１ＳＲＳリソースセットを設定するための設定情報を、前記端末に送信するステップをさらに含む。
【０１１３】
一実施例として、前記設定情報は上位層シグナリング又は媒体アクセス制御ＭＡＣ層シグナリングに搬送される。
【０１１４】
一実施例として、前記ネットワーク装置が第２指示情報を前記端末に送信することは、前記ネットワーク装置が、前記伝送待ちのアップリンク信号をスケジューリングするためのダウンリンク制御情報（ＤＣＩ）であって、前記第２指示情報を含むＤＣＩを前記端末に送信するステップを含む。
【０１１５】
以上、図１〜図３を参照しながら本願の実施例に係るアップリンク信号の伝送パラメータを確定する方法を詳細に説明したが、以下、図４〜図７を参照しながら本願の実施例に係る端末及びネットワーク装置を詳細に説明する。なお、図４〜図７に示される装置は図２及び図３中の各ステップを実現でき、重複を回避するために、ここで詳細説明を省略する。
【０１１６】
図４は本願の実施例に係る端末の概略ブロック図である。図４に示される端末４００は、確定ユニット４１０、受信ユニット４２０及び送信ユニット４３０を備える。
【０１１７】
確定ユニットは、第１サウンディング参照信号（ＳＲＳ）リソースセットを確定するように構成され、
受信ユニットは、ネットワーク装置から送信される第１指示情報であって、非周期的ＳＲＳを伝送するように前記端末に指示するための第１指示情報を受信するように構成され、
前記確定ユニットはさらに、前記第１指示情報及び前記第１ＳＲＳリソースセットに基づき、ターゲットＳＲＳリソースセットを確定するように構成され、
送信ユニットは、前記ターゲットＳＲＳリソースセット中のＳＲＳリソース上で前記ネットワーク装置に前記非周期的ＳＲＳを送信するように構成され、
前記受信ユニットはさらに、前記ネットワーク装置から送信される第２指示情報であって、前記ターゲットＳＲＳリソースセット中のターゲットＳＲＳリソースを指示するための第２指示情報を受信するように構成され、
前記確定ユニットはさらに、前記ターゲットＳＲＳリソースに基づき、伝送待ちのアップリンク信号を伝送するための伝送パラメータを確定するように構成される。
【０１１８】
一実施例として、前記第１指示情報は前記ターゲットＳＲＳリソースセットを指示するために用いられ、前記確定ユニットは前記第１指示情報に基づき、前記第１ＳＲＳリソースセットから、前記第１ＳＲＳリソースセットのサブセットである前記ターゲットＳＲＳリソースセットを確定するように構成される。
【０１１９】
一実施例として、前記第１指示情報は、前記第１ＳＲＳリソースセット中の第１ＳＲＳリソースを指示するために用いられ、前記確定ユニットは前記第１指示情報に基づき、前記第１ＳＲＳリソースセットから前記第１ＳＲＳリソースを確定し、前記第１ＳＲＳリソース及び前記第１ＳＲＳリソースセット中の各ＳＲＳリソースと第２ＳＲＳリソースセットとの対応関係に基づき、前記第１ＳＲＳリソースに対応する第２ＳＲＳリソースセットを前記ターゲットリソースセットとして確定するように構成される。
【０１２０】
一実施例として、前記第１ＳＲＳリソースセット中の異なるＳＲＳリソースは、異なる第２ＳＲＳリソースセットに対応する。
【０１２１】
一実施例として、前記第１指示情報は、前記第１ＳＲＳリソースセット中の第２ＳＲＳリソースを指示するために用いられ、前記確定ユニットは、前記第１指示情報及び前記第１ＳＲＳリソースセットに基づき、前記第１ＳＲＳリソースセット中の前記第２ＳＲＳリソースのインデックスを確定し、前記第１ＳＲＳリソースセット中の前記第２ＳＲＳリソースのインデックス、及び第１ＳＲＳリソースセット中のＳＲＳリソースのインデックスとインデックスセットとの対応関係に基づき、前記第２ＳＲＳリソースに対応するインデックスセットを確定し、前記第２ＳＲＳリソースに対応するインデックスセット中のインデックスに指示されるＳＲＳリソースによって、前記ターゲットＳＲＳリソースセットを形成することを確定するように構成される。
【０１２２】
一実施例として、前記第１ＳＲＳリソースセット中の異なるＳＲＳリソース上でＳＲＳ信号を伝送するために使用されるビームは異なる。
【０１２３】
一実施例として、前記ターゲットＳＲＳリソースセット中の異なるＳＲＳリソース上でＳＲＳ信号を伝送するために使用されるビームは異なる。
【０１２４】
一実施例として、前記伝送パラメータはビームフォーミング重みであり、前記確定ユニットは前記ターゲットＳＲＳリソース上でＳＲＳ信号を伝送するために使用されるビームフォーミング重みを、前記伝送待ちのアップリンク信号を伝送するために使用されるビームフォーミング重みとするように構成される。
【０１２５】
一実施例として、前記伝送パラメータはプリコーディング行列であり、前記確定ユニットは前記ネットワーク装置から送信される第１プリコーディングマトリックスインジケーター（ＰＭＩ）情報を受信し、前記ターゲットＳＲＳリソースのアンテナポート数、及び第１ＰＭＩ情報に基づき、アンテナポート数、ＰＭＩ情報及びプリコーディング行列の間のマッピング関係によって、前記伝送待ちのアップリンク信号のプリコーディング行列を確定するように構成される。
【０１２６】
一実施例として、前記送信ユニットはさらに、前記第１ＳＲＳリソースセット中のＳＲＳリソース上で前記ネットワーク装置にＳＲＳを送信するように構成される。
【０１２７】
一実施例として、前記送信ユニットはさらに、前記第１ＳＲＳリソースセット中のＳＲＳリソース上で、周期的ＳＲＳ又は半永続的ＳＲＳである前記ＳＲＳを伝送するように構成される。
【０１２８】
一実施例として、前記送信ユニットはさらに、前記第１ＳＲＳリソースセット中のＳＲＳリソースの一部のアンテナポート上で前記ネットワーク装置に前記ＳＲＳを送信するように構成される。
【０１２９】
一実施例として、前記確定ユニットはさらに、前記ネットワーク装置から送信される設定情報であって、前記端末に前記第１ＳＲＳリソースセットを設定するための設定情報を受信するように構成される。
【０１３０】
一実施例として、前記設定情報は上位層シグナリング又は媒体アクセス制御ＭＡＣ層シグナリングに搬送される。
【０１３１】
一実施例として、前記受信ユニットはさらに、前記ネットワーク装置から送信される、前記伝送待ちのアップリンク信号をスケジューリングするためのダウンリンク制御情報（ＤＣＩ）であって、前記第２指示情報を含むＤＣＩを受信するように構成される。
【０１３２】
好ましい実施例では、前記確定ユニット４１０はプロセッサ５２０、前記受信ユニット４２０及び前記送信ユニット４３０は通信インタフェース５４０であってもよく、前記端末は入力／出力インタフェース５３０及びメモリ５１０をさらに備えてもよく、図５に示される。
【０１３３】
図５は本願の別の実施例に係る端末の概略ブロック図である。図５に示される端末５００は、メモリ５１０、プロセッサ５２０、入力／出力インタフェース５３０、及び通信インタフェース５４０を備える。メモリ５１０、プロセッサ５２０、入力／出力インタフェース５３０及び通信インタフェース５４０は内部接続通路を介して接続され、該メモリ５１０は命令を記憶し、該プロセッサ５２０は該メモリ５２０に記憶された命令を実行して、入力／出力インタフェース５３０が入力されたデータ及び情報を受信し、操作結果等のデータを出力するように制御し、且つ通信インタフェース５５０が信号を送信するように制御する。
【０１３４】
前記プロセッサは、第１サウンディング参照信号（ＳＲＳ）リソースセットを確定するように構成され、
前記通信インタフェースは、ネットワーク装置から送信される第１指示情報であって、非周期的ＳＲＳを伝送するように前記端末に指示するための第１指示情報を受信し、前記第１指示情報及び前記第１ＳＲＳリソースセットに基づき、ターゲットＳＲＳリソースセットを確定し、前記ターゲットＳＲＳリソースセット中のＳＲＳリソース上で前記ネットワーク装置に前記非周期的ＳＲＳを送信し、前記ネットワーク装置から送信される第２指示情報であって、前記ターゲットＳＲＳリソースセット中のターゲットＳＲＳリソースを指示するための第２指示情報を受信し、
前記プロセッサはさらに、前記ターゲットＳＲＳリソースに基づき、伝送待ちのアップリンク信号を伝送するための伝送パラメータを確定するように構成される。
【０１３５】
なお、本願の実施例では、該プロセッサ５２０は汎用中央処理装置（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は１つ又は複数の集積回路を使用してもよく、関連プログラムを実行して本願の実施例に係る技術案を実現する。
【０１３６】
さらになお、通信インタフェース５４０は例えば送受信機などのような送受信装置を使用して、端末５００とほかの装置又は通信ネットワークとの通信を実現する。
【０１３７】
該メモリ５１０は読み出し専用メモリ及びランダムアクセスメモリを含み、プロセッサ５２０に命令及びデータを提供するようにしてもよい。プロセッサ５２０の一部は不揮発性ランダムアクセスメモリをさらに含んでもよい。例えば、プロセッサ５２０はさらにデバイスタイプの情報を記憶できる。
【０１３８】
実現中、上記方法の各ステップはプロセッサ５２０中のハードウェアの集積論理回路又はソフトウェア形態の命令によって実行できる。本願の実施例を参照して開示されているアップリンク信号の伝送パラメータを確定する方法は直接ハードウェアプロセッサによって実行され、又はプロセッサ中のハードウェア及びソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ５１０に位置し、プロセッサ５２０はメモリ５１０中の情報を読み取り、そのハードウェアと組み合わせて上記方法のステップを実行する。重複を回避するために、ここで詳細説明を省略する。
【０１３９】
図６は本願の実施例に係るネットワーク装置の概略ブロック図である。図６に示されるネットワーク装置６００は、受信ユニット６１０、確定ユニット６２０及び送信ユニット６３０を備える。
【０１４０】
受信ユニットは、端末から送信されるＳＲＳを第１ＳＲＳリソースセット中のＳＲＳリソース上で受信するように構成され、
確定ユニットは、前記ＳＲＳに基づき、前記第１指示情報を確定するように構成され、前記第１指示情報が前記ターゲットＳＲＳ伝送リソースを確定することに用いられ、
送信ユニットは、非周期的ＳＲＳを伝送するように前記端末に指示するための前記第１指示情報を前記端末に送信するように構成され、
前記受信ユニットはさらに、前記端末から送信される前記非周期的ＳＲＳをターゲットＳＲＳリソースセット中のＳＲＳリソース上で受信するように構成され、
前記確定ユニットはさらに、前記ターゲットＳＲＳリソースに基づき、前記端末が伝送待ちのアップリンク信号を伝送する伝送パラメータを確定するように構成され、
前記送信ユニットはさらに、第２指示情報を前記端末に送信するように構成され、前記第２指示情報が、前記ターゲットＳＲＳリソースセット中のターゲットＳＲＳリソースを指示することに用いられ、前記ターゲットＳＲＳリソースが、前記端末が伝送待ちのアップリンク信号を伝送する伝送パラメータを確定することに用いられる。
【０１４１】
一実施例として、前記第１指示情報は前記ターゲットＳＲＳリソースセットを指示するために用いられ、前記ターゲットＳＲＳリソースセットは前記第１ＳＲＳリソースセットのサブセットである。
【０１４２】
一実施例として、前記第１指示情報は、前記第１ＳＲＳリソースセット中の第１ＳＲＳリソースを指示するために用いられ、前記第１ＳＲＳリソースセット中のＳＲＳリソースは１つの第２ＳＲＳリソースセットに対応し、前記第１ＳＲＳリソースに対応する第２ＳＲＳリソースセットは前記ターゲットＳＲＳリソースセットである。
【０１４３】
一実施例として、前記第１指示情報は、前記第１ＳＲＳリソースセット中の第２ＳＲＳリソースを指示するために用いられ、前記第１ＳＲＳリソースセット中の前記第２ＳＲＳリソースのインデックスは１つのインデックスセットに対応し、前記第２ＳＲＳリソースに対応するインデックスセット中のインデックスに指示されるＳＲＳリソースによって前記ターゲットＳＲＳリソースセットを形成する。
【０１４４】
一実施例として、前記第１ＳＲＳリソースセット中の異なるＳＲＳリソース上でＳＲＳ信号を伝送するために使用されるビームは異なる。
【０１４５】
一実施例として、前記ターゲットＳＲＳリソースセット中の異なるＳＲＳリソース上でＳＲＳ信号を伝送するために使用されるビームは異なる。
【０１４６】
一実施例として、前記伝送パラメータはビームフォーミング重みであり、前記ターゲットＳＲＳリソース上でＳＲＳ信号を伝送するために使用されるビームフォーミング重みを、前記伝送待ちのアップリンク信号を伝送するために使用されるビームフォーミング重みとする。
【０１４７】
一実施例として、前記伝送パラメータはプリコーディング行列であり、前記送信ユニットはさらに、前記端末に第１プリコーディングマトリックスインジケーター（ＰＭＩ）情報を送信し、前記第１プリコーディングマトリックスインジケーター（ＰＭＩ）情報及び前記ターゲットＳＲＳリソースのアンテナポート数に基づき、アンテナポート数、ＰＭＩ情報及びプリコーディング行列の間のマッピング関係によって、前記伝送待ちのアップリンク信号のプリコーディング行列を指示するように構成される。
【０１４８】
一実施例として、前記受信ユニットはさらに、前記端末から送信される周期的ＳＲＳ又は半永続的ＳＲＳである前記ＳＲＳを前記第１ＳＲＳリソースセット中のＳＲＳリソース上で受信するように構成される。
【０１４９】
一実施例として、前記受信ユニットはさらに、前記端末から送信される前記ＳＲＳを前記第１ＳＲＳリソースセット中のＳＲＳリソースの一部のアンテナポート上で受信するように構成される。
【０１５０】
一実施例として、前記送信ユニットはさらに、前記端末に前記第１ＳＲＳリソースセットを設定するための設定情報を、前記端末に送信するように構成される。
【０１５１】
好ましい実施例では、前記確定ユニット６２０はプロセッサ７２０、前記受信ユニット６１０及び前記送信ユニット６３０は通信インタフェース７４０であってもよく、前記ネットワーク装置は入力／出力インタフェース７３０及びメモリ７１０をさらに備えてもよく、図７に示される。
【０１５２】
図７は本願の別の実施例に係るネットワーク装置の概略ブロック図である。図７に示されるネットワーク装置７００は、メモリ７１０、プロセッサ７２０、入力／出力インタフェース７３０、及び通信インタフェース７４０を備える。メモリ７１０、プロセッサ７２０、入力／出力インタフェース７３０及び通信インタフェース７４０は内部接続通路を介して接続され、該メモリ７１０は命令を記憶し、該プロセッサ７２０は該メモリ７２０に記憶された命令を実行して、が入力されたデータ及び情報を受信し、操作結果等のデータを出力するように制御し、且つ通信インタフェース７７０が信号を送信するように制御する。
【０１５３】
前記通信インタフェースは、端末から送信されるＳＲＳを第１ＳＲＳリソースセット中のＳＲＳリソース上で受信するように構成され、
前記プロセッサは、前記ＳＲＳに基づき、前記第１指示情報を確定するように構成され、前記第１指示情報が前記ターゲットＳＲＳ伝送リソースを確定することに用いられ、
前記通信インタフェースはさらに、非周期的ＳＲＳを伝送するように前記端末に指示するための前記第１指示情報を前記端末に送信し、前記端末から送信される前記非周期的ＳＲＳをターゲットＳＲＳリソースセット中のＳＲＳリソース上で受信するように構成され、
前記プロセッサはさらに、前記ターゲットＳＲＳリソースに基づき、前記端末が伝送待ちのアップリンク信号を伝送する伝送パラメータを確定するように構成され、
前記通信インタフェースはさらに、第２指示情報を前記端末に送信するように構成され、前記第２指示情報が、前記ターゲットＳＲＳリソースセット中のターゲットＳＲＳリソースを指示することに用いられ、前記ターゲットＳＲＳリソースが、前記端末が伝送待ちのアップリンク信号を伝送する伝送パラメータを確定することに用いられる。
【０１５４】
なお、本願の実施例では、該プロセッサ７２０は汎用中央処理装置（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は１つ又は複数の集積回路を使用してもよく、関連プログラムを実行して本願の実施例に係る技術案を実現する。
【０１５５】
さらになお、通信インタフェース７４０は例えば送受信機などのような送受信装置を使用して、端末７００とほかの装置又は通信ネットワークとの通信を実現する。
【０１５６】
該メモリ７１０は読み出し専用メモリ及びランダムアクセスメモリを含み、プロセッサ７２０に命令及びデータを提供するようにしてもよい。プロセッサ７２０の一部は不揮発性ランダムアクセスメモリをさらに含んでもよい。例えば、プロセッサ７２０はさらにデバイスタイプの情報を記憶できる。
【０１５７】
実現中、上記方法の各ステップはプロセッサ７２０中のハードウェアの集積論理回路又はソフトウェア形態の命令によって実行できる。本願の実施例を参照して開示されているアップリンク信号の伝送パラメータを確定する方法は直接ハードウェアプロセッサによって実行され、又はプロセッサ中のハードウェア及びソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ７１０に位置し、プロセッサ７２０はメモリ７１０中の情報を読み取り、そのハードウェアと組み合わせて上記方法のステップを実行する。重複を回避するために、ここで詳細説明を省略する。
【０１５８】
なお、本願の実施例では、「Ａに対応するＢ」は、ＢがＡに関連付けられ、Ａに基づき、Ｂを確定することを示す。しかし、Ａに基づき、Ｂを確定することについて、Ａのみに基づき、Ｂを確定することに限らず、Ａ及び／又はほかの情報に基づき、Ｂを確定してもよい。
【０１５９】
なお、本明細書において、用語「及び／又は」は単に関連対象を説明する関連関係であり、３種の関係が存在することを示し、例えば、Ａ及び／又はＢは、Ａのみが存在すること、Ａ及びＢが同時に存在すること、Ｂのみが存在することという３種の状況を含む。また、本明細書において、記号「／」は、一般には前後の関連対象が「又は」の関係を有することを示す。
【０１６０】
なお、本願の各種の実施例では、上記各プロセスの番号は実行順序を示すものではなく、各プロセスの実行順序はその機能及び内部ロジックに応じて確定され、本願の実施例の実施過程を限定するものではない。
【０１６１】
本願により提供されるいくつかの実施例では、開示されているシステム、装置及び方法をほかの形態で実現できると理解すべきである。例えば、以上説明された装置の実施例は単に例示的なものであり、例えば、該ユニットの分割は、単にロジック機能の分割であり、実際の実装では別の分割方式を採用してもよく、例えば複数のユニット又は要素を別のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態としてもよい。
【０１６２】
前記分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分散してもよい。実際の必要に応じて一部又はすべてのユニットを選択して本実施例の技術案の目的を実現することができる。
【０１６３】
また、本願の実施例の各々における各機能ユニットは１つの処理ユニットに集積されてもよく、別々に物理的に存在してもよく、２つ又は２つ以上のユニットは１つのユニットに集積されてもよい。
【０１６４】
上記実施例では、すべて又は一部はソフトウェア、ハードウェア、ファームウェア又はそれらの任意の組合せによって実現できる。ソフトウェアを使用して実現する場合、可以すべて又は一部はコンピュータプログラム製品の形態で実現できる。前記コンピュータプログラム製品は１つ又は複数のコンピュータ命令を含む。コンピュータに前記コンピュータプログラム命令をアップロードして実行する時、本願の実施例に記載のプロセス又は機能のすべて又は一部が発生する。前記コンピュータは汎用コンピュータ、専用コンピュータ、コンピュータネットワーク、又はほかのプログラマブル装置であり得る。前記コンピュータ命令はコンピュータ可読記憶媒体に記憶され、又は１つのコンピュータ可読記憶媒体から別のコンピュータ可読記憶媒体に伝送され、例えば、前記コンピュータ命令は１つのウエブサイト、コンピュータ、サーバ又はデータセンターから有線（例えば、同軸ケーブル、光ファイバ、デジタル加入者線（ＤＳＬ：Ｄｉｇｉｔａｌ  Ｓｕｂｓｃｒｉｂｅｒ  Ｌｉｎｅ））又は無線（例えば赤外線、無線、マイクロ波等）の方式によって別のウエブサイト、コンピュータ、サーバ又はデータセンターに伝送される。前記コンピュータ可読記憶媒体はコンピュータが読み取り可能な任意の利用可能な媒体又は、１つ又は複数の利用可能な媒体を含んで集積したサーバ、データセンター等のデータ記憶デバイスであり得る。前記利用可能な媒体は磁気媒体、（例えば、フロッピーディスク、ハードディスク、テープ）、光学媒体（例えば、デジタルバーサタイルディスク（ＤＶＤ：Ｄｉｇｉｔａｌ  Ｖｉｄｅｏ  Ｄｉｓｃ））又は半導体媒体（例えば、ソリッドステートディスク（ＳＳＤ：Ｓｏｌｉｄ  Ｓｔａｔｅ  Ｄｉｓｋ））等であり得る。
【０１６５】
以上、本願の具体的な実施形態を説明したが、本願の保護範囲を限定するものではなく、当業者が本願に開示される技術範囲を逸脱せずに容易に想到し得る変更や置換はすべて本願の保護範囲に属する。従って、本願の保護範囲は上記特許請求の範囲の保護範囲に準じるべきである。
【手続補正２】
【補正対象書類名】特許請求の範囲
【補正対象項目名】全文
【補正方法】変更
【補正の内容】
【特許請求の範囲】
【請求項１】
アップリンク信号の伝送パラメータを確定する方法であって、
端末は、第１サウンディング参照信号（ＳＲＳ）リソースセットを確定するステップと、
前記端末が、ネットワーク装置から送信される第１指示情報であって、非周期的ＳＲＳを伝送するように前記端末に指示するための第１指示情報を受信するステップと、
前記端末が、前記第１指示情報及び前記第１ＳＲＳリソースセットに基づき、ターゲットＳＲＳリソースセットを確定するステップと、
前記端末は、前記ターゲットＳＲＳリソースセット中のＳＲＳリソース上で前記ネットワーク装置に前記非周期的ＳＲＳを送信するステップと、
前記端末が、前記ネットワーク装置から送信される第２指示情報であって、前記ターゲットＳＲＳリソースセット中のターゲットＳＲＳリソースを指示するための第２指示情報を受信するステップと、
前記端末は、前記ターゲットＳＲＳリソースに基づき、伝送待ちのアップリンク信号を伝送するための伝送パラメータを確定するステップと、を含むことを特徴とする方法。
【請求項２】
前記第１指示情報は前記ターゲットＳＲＳリソースセットを指示するために用いられ、
前記端末が前記第１指示情報及び前記第１ＳＲＳリソースセットに基づき、ターゲットＳＲＳリソースセットを確定することは、
前記端末が、前記第１指示情報に基づき、前記第１ＳＲＳリソースセットから、前記第１ＳＲＳリソースセットのサブセットである前記ターゲットＳＲＳリソースセットを確定するステップを含むことを特徴とする請求項１に記載の方法。
【請求項３】
前記ターゲットＳＲＳリソースセット中の異なるＳＲＳリソース上でＳＲＳ信号を伝送するために使用されるビームは異なることを特徴とする請求項１又は２に記載の方法。
【請求項４】
前記伝送パラメータはビームフォーミング重みであり、
前記端末が、前記ターゲットＳＲＳリソースに基づき、伝送待ちのアップリンク信号を伝送するための伝送パラメータを確定することは、
前記端末が、前記ターゲットＳＲＳリソース上でＳＲＳ信号を伝送するために使用されるビームフォーミング重みを、前記伝送待ちのアップリンク信号を伝送するために使用されるビームフォーミング重みとするステップを含むことを特徴とする請求項１−３のいずれか一項に記載の方法。
【請求項５】
前記伝送パラメータはプリコーディング行列であり、
前記端末が、前記ターゲットＳＲＳリソースに基づき、伝送待ちのアップリンク信号を伝送するための伝送パラメータを確定することは、
前記端末が、前記ネットワーク装置から送信される第１プリコーディングマトリックスインジケーター（ＰＭＩ）情報を受信するステップと、
前記端末が、前記ターゲットＳＲＳリソースのアンテナポート数、及び第１ＰＭＩ情報に基づき、アンテナポート数、ＰＭＩ情報及びプリコーディング行列の間のマッピング関係によって、前記伝送待ちのアップリンク信号のプリコーディング行列を確定するステップと、を含むことを特徴とする請求項１−４のいずれか一項に記載の方法。
【請求項６】
前記端末が第１サウンディング参照信号（ＳＲＳ）リソースセットを確定することは、
前記端末が、前記ネットワーク装置から送信される設定情報であって、前記端末に前記第１ＳＲＳリソースセットを設定するための設定情報を受信するステップを含むことを特徴とする請求項１−５のいずれか一項に記載の方法。
【請求項７】
前記設定情報は、上位層シグナリング又は媒体アクセス制御ＭＡＣ層シグナリングに搬送されることを特徴とする請求項６に記載の方法。
【請求項８】
前記端末が前記ネットワーク装置から送信される第２指示情報を受信することは、
前記端末が、前記ネットワーク装置から送信される、前記伝送待ちのアップリンク信号をスケジューリングするためのダウンリンク制御情報（ＤＣＩ）であって、前記第２指示情報を含むＤＣＩを受信するステップを含むことを特徴とする請求項１−７のいずれか一項に記載の方法。
【請求項９】
端末であって、確定ユニット、受信ユニット、及び送信ユニットを備え、
前記確定ユニットは、第１サウンディング参照信号（ＳＲＳ）リソースセットを確定するように構成され、
前記受信ユニットは、ネットワーク装置から送信される第１指示情報であって、非周期的ＳＲＳを伝送するように前記端末に指示するための第１指示情報を受信するように構成され、
前記確定ユニットは、さらに、前記第１指示情報及び前記第１ＳＲＳリソースセットに基づき、ターゲットＳＲＳリソースセットを確定するように構成され、
前記送信ユニットは、前記ターゲットＳＲＳリソースセット中のＳＲＳリソース上で前記ネットワーク装置に前記非周期的ＳＲＳを送信するように構成され、
前記受信ユニットはさらに、前記ネットワーク装置から送信される第２指示情報であって、前記ターゲットＳＲＳリソースセット中のターゲットＳＲＳリソースを指示するための第２指示情報を受信するように構成され、
前記確定ユニットはさらに、前記ターゲットＳＲＳリソースに基づき、伝送待ちのアップリンク信号を伝送するための伝送パラメータを確定するように構成されることを特徴とする端末。
【請求項１０】
前記第１指示情報は前記ターゲットＳＲＳリソースセットを指示するために用いられ、
前記確定ユニットは、
前記第１指示情報に基づき、前記第１ＳＲＳリソースセットから、前記第１ＳＲＳリソースセットのサブセットである前記ターゲットＳＲＳリソースセットを確定するように構成されることを特徴とする請求項９に記載の端末。
【請求項１１】
前記ターゲットＳＲＳリソースセット中の異なるＳＲＳリソース上でＳＲＳ信号を伝送するために使用されるビームは異なることを特徴とする請求項９又は１０に記載の端末。
【請求項１２】
前記伝送パラメータはビームフォーミング重みであり、
前記確定ユニットは、
前記ターゲットＳＲＳリソース上でＳＲＳ信号を伝送するために使用されるビームフォーミング重みを、前記伝送待ちのアップリンク信号を伝送するために使用されるビームフォーミング重みとするように構成されることを特徴とする請求項９−１１のいずれか一項に記載の端末。
【請求項１３】
前記伝送パラメータはプリコーディング行列であり、
前記確定ユニットは、
前記ネットワーク装置から送信される第１プリコーディングマトリックスインジケーター（ＰＭＩ）情報を受信し、
前記ターゲットＳＲＳリソースのアンテナポート数、及び第１ＰＭＩ情報に基づき、アンテナポート数、ＰＭＩ情報及びプリコーディング行列の間のマッピング関係によって、前記伝送待ちのアップリンク信号のプリコーディング行列を確定するように構成されることを特徴とする請求項９−１２のいずれか一項に記載の端末。
【請求項１４】
前記確定ユニットはさらに、
前記ネットワーク装置から送信される設定情報であって、前記端末に前記第１ＳＲＳリソースセットを設定するための設定情報を受信するように構成されることを特徴とする請求項９−１３のいずれか一項に記載の端末。
【請求項１５】
前記設定情報は上位層シグナリング又は媒体アクセス制御ＭＡＣ層シグナリングに搬送されることを特徴とする請求項１４に記載の端末。
【請求項１６】
前記受信ユニットはさらに、
前記ネットワーク装置から送信される、前記伝送待ちのアップリンク信号をスケジューリングするためのダウンリンク制御情報（ＤＣＩ）であって、前記第２指示情報を含むＤＣＩを受信するように構成されることを特徴とする請求項９−１５のいずれか一項に記載の端末。
【国際調査報告】
2020520585.tif 000010
2020520585.tif 000011
2020520585.tif 000012
2020520585.tif 000013